(57)【要約】本開示は、メッセージ報告方法、受信方法、端末及びネットワーク装置を提供する。前記メッセージ報告方法は、ネットワーク装置にＲＲＣ回復要求メッセージを送信することと、上記ネットワーク装置が上記ＲＲＣ回復要求メッセージに答えて送信した第１ＲＲＣメッセージを受信することと、上記ネットワーク装置に、上記第１ＲＲＣメッセージに答える第２ＲＲＣメッセージを送信することとを含み、端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、上記第２ＲＲＣメッセージに、上記ＥＰＬＭＮの識別子を付帯する。【選択図】図１
2022500953.tif 000002
【特許請求の範囲】
【請求項１】
端末に適用されるメッセージ報告方法であって、
ネットワーク装置に無線リソース制御ＲＲＣ回復要求メッセージを送信することと、
前記ネットワーク装置によって前記無線リソース制御ＲＲＣ回復要求メッセージに応答して送信した第１ＲＲＣメッセージを受信することと、
前記ネットワーク装置に、前記第１ＲＲＣメッセージに応答する第２ＲＲＣメッセージを送信することとを含み、
ここで、前記端末が非アクティブ状態にある時、地上公共移動通信ネットワークＰＬＭＮから等価地上公共移動通信ネットワークＥＰＬＭＮへの再選択を発した場合、またはＰＬＭＮからＥＰＬＭＮへの再選択を発し且つアクセスネットワーク通知エリアＲＮＡ更新条件を満たした場合、前記第２ＲＲＣメッセージに、前記ＥＰＬＭＮの識別子を付帯する、メッセージ報告方法。
【請求項２】
前記無線リソース制御ＲＲＣ回復要求メッセージは、端末でＰＬＭＮからＥＰＬＭＮへの再選択を発した場合、またはＰＬＭＮからＥＰＬＭＮへの再選択を発し、且つＲＮＡ更新条件を満たした場合に送信され、
前記無線リソース制御ＲＲＣ回復要求メッセージに、第１原因値を付帯し、前記第１原因値は、前記端末でＰＬＭＮからＥＰＬＭＮへの再選択を発し、またはＰＬＭＮからＥＰＬＭＮへの再選択を発し、且つＲＮＡ更新条件を満たすことを指示し、
或いは、
前記無線リソース制御ＲＲＣ回復要求メッセージに、第２原因値を付帯し、前記第２原因値は、端末にアップリンクデータ送信またはアップリンクシグナリング送信のあることを指示し、
或いは、
前記無線リソース制御ＲＲＣ回復要求メッセージに、指示メッセージを付帯し、前記指示メッセージは、前記端末にＰＬＭＮからＥＰＬＭＮへの再選択を発したかどうかを指示する、請求項１に記載のメッセージ報告方法。
【請求項３】
前記第１ＲＲＣメッセージをＲＲＣ回復メッセージとし、前記第２ＲＲＣメッセージをＲＲＣ回復完成メッセージとし、
或いは、
前記第１ＲＲＣメッセージをＲＲＣリリースメッセージとし、前記ＲＲＣリリースメッセージに、無線リソース配置メッセージを含むサスペンド配置メッセージを付帯し、前記無線リソース配置メッセージは、前記第２ＲＲＣメッセージが占用したリソースを指示する、請求項１に記載のメッセージ報告方法。
【請求項４】
前記無線リソース制御ＲＲＣ回復要求メッセージに、前記第１原因値を付帯する場合、
前記第１原因値が前記端末の非アクセスＮＡＳ層によって決定し、再選択したＥＰＬＭＮの識別子をＡＳ層に提供すると同時に、ＡＳ層に提供され、
或いは、
前記第１原因値は、ＮＡＳ層がＡＳ層に再選択したＥＰＬＭＮの識別子を提供してから、前記端末のＡＳ層によって決定される、請求項２に記載のメッセージ報告方法。
【請求項５】
前記無線リソース制御ＲＲＣ回復要求メッセージに、前記第２原因値を付帯する場合、
前記第２原因値が前記端末のＮＡＳ層によって決定され、再選択したＥＰＬＭＮの識別子をＡＳ層に提供すると同時に、ＡＳ層に提供され、
或いは、
前記第２原因値が前記端末のＮＡＳ層によって決定され、再選択したＥＰＬＭＮの識別子をＡＳ層に提供すると同時に、ＡＳ層に提供され、同時にＮＡＳシグナリングプロセスを触発し、
或いは、
前記第２原因値は、ＮＡＳ層がＡＳ層に再選択したＥＰＬＭＮの識別子を提供してから、前記端末のＡＳ層によって決定される、請求項２に記載のメッセージ報告方法。
【請求項６】
前記無線リソース制御ＲＲＣ回復要求メッセージは、端末でＲＮＡ更新条件を満たした場合に送信され、
前記第１ＲＲＣメッセージは、前記ネットワーク装置で、未回復セルブロードキャストのＰＬＭＮリストに前記端末の登録地上公共移動通信ネットワークＲＰＬＭＮが含まない状況で送信される、請求項１に記載のメッセージ報告方法。
【請求項７】
端末に適用されるメッセージ報告方法であって、
端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、前記ＥＰＬＭＮの識別子を付帯する第３ＲＲＣメッセージをネットワーク装置に送信することを含む、メッセージ報告方法。
【請求項８】
前記第３ＲＲＣメッセージに、
端末識別子、メッセージ完全性保護認証コードＭＡＣ−Ｉ及び短くしたＭＡＣ−Ｉのメッセージの少なくとも一つを付帯する、請求項７に記載のメッセージ報告方法。
【請求項９】
前記ＥＰＬＭＮの識別子を付帯する第３ＲＲＣメッセージをネットワーク装置に送信した後、前記メッセージ報告方法はさらに、
前記第３ＲＲＣメッセージに答えて、前記ネットワーク装置が送信した第４ＲＲＣメッセージまたはＲＲＣリリースメッセージを受信することを含む、請求項７に記載のメッセージ報告方法。
【請求項１０】
ネットワーク装置に適用されるメッセージ受信方法であって、
端末から送信した無線リソース制御ＲＲＣ回復要求メッセージを受信することと、
前記端末に、前記無線リソース制御ＲＲＣ回復要求メッセージに答える第１ＲＲＣメッセージを送信することと、
前記端末が前記第１ＲＲＣメッセージに答えて送信した第２ＲＲＣメッセージを受信することとを含み、
ここで、前記端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、前記第２ＲＲＣメッセージに、前記ＥＰＬＭＮの識別子を付帯する、メッセージ受信方法。
【請求項１１】
前記無線リソース制御ＲＲＣ回復要求メッセージは、端末でＰＬＭＮからＥＰＬＭＮへの再選択を発した場合、またはＰＬＭＮからＥＰＬＭＮへの再選択を発し、且つＲＮＡ更新条件を満たした場合に送信され、
前記無線リソース制御ＲＲＣ回復要求メッセージに、第１原因値を付帯し、前記第１原因値は、前記端末でＰＬＭＮからＥＰＬＭＮへの再選択を発し、またはＰＬＭＮからＥＰＬＭＮへの再選択を発し、且つＲＮＡ更新条件を満たすことを指示し、
或いは、
前記無線リソース制御ＲＲＣ回復要求メッセージに、第２原因値を付帯し、前記第２原因値は、端末にアップリンクデータ送信またはアップリンクシグナリング送信のあることを指示し、
或いは、
前記無線リソース制御ＲＲＣ回復要求メッセージに、指示メッセージを付帯し、前記指示メッセージは、前記端末にＰＬＭＮからＥＰＬＭＮへの再選択を発したかどうかを指示する、請求項１０に記載のメッセージ受信方法。
【請求項１２】
前記第１ＲＲＣメッセージをＲＲＣ回復メッセージとし、前記第２ＲＲＣメッセージをＲＲＣ回復完成メッセージとし、
或いは、
前記第１ＲＲＣメッセージをＲＲＣリリースメッセージとし、前記ＲＲＣリリースメッセージに、無線リソース配置メッセージを含むサスペンド配置メッセージを付帯し、前記無線リソース配置メッセージは、前記第２ＲＲＣメッセージが占用したリソースを指示する、請求項１０に記載のメッセージ受信方法。
【請求項１３】
前記無線リソース制御ＲＲＣ回復要求メッセージに、前記第１原因値を付帯する場合、
前記第１原因値が前記端末の非アクセスＮＡＳ層によって決定され、再選択したＥＰＬＭＮの識別子をＡＳ層に提供すると同時に、ＡＳ層に提供され、
或いは、
前記第１原因値は、ＮＡＳ層がＡＳ層に再選択したＥＰＬＭＮの識別子を提供してから、前記端末のＡＳ層によって決定される、請求項１１に記載のメッセージ受信方法。
【請求項１４】
前記無線リソース制御ＲＲＣ回復要求メッセージに、前記第２原因値を付帯する場合、
前記第２原因値が前記端末のＮＡＳ層によって決定され、再選択したＥＰＬＭＮの識別子をＡＳ層に提供すると同時に、ＡＳ層に提供され、
或いは、
前記第２原因値が前記端末のＮＡＳ層によって決定され、再選択したＥＰＬＭＮの識別子をＳ層に提供すると同時に、ＡＳ層に提供され、同時にＮＡＳシグナリングプロセスを触発し、
或いは、
前記第２原因値は、ＮＡＳ層がＡＳ層に再選択したＥＰＬＭＮの識別子を提供してから、前記端末のＡＳ層によって決定される、請求項１１に記載のメッセージ受信方法。
【請求項１５】
前記無線リソース制御ＲＲＣ回復要求メッセージは、端末でＲＮＡ更新条件を満たした場合に送信され、
前記第１ＲＲＣメッセージは、ネットワーク装置で、未回復セルブロードキャストのＰＬＭＮリストに前記端末のＲＰＬＭＮが含まない状況で送信される、請求項１０に記載のメッセージ受信方法。
【請求項１６】
ネットワーク装置に適用されるメッセージ受信方法であって、
端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、送信した前記ＥＰＬＭＮの識別子を付帯する第３ＲＲＣメッセージを受信することを含む、メッセージ受信方法。
【請求項１７】
前記第３ＲＲＣメッセージに、
端末識別子、ＭＡＣ−Ｉ及び短くしたＭＡＣ−Ｉのメッセージの少なくとも一つを付帯する、請求項１６に記載のメッセージ受信方法。
【請求項１８】
受信端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、送信した前記ＥＰＬＭＮの識別子を付帯する第３ＲＲＣメッセージを受信した後、前記メッセージ受信方法はさらに、
前記第３ＲＲＣメッセージに答えて、前記端末に第４ＲＲＣメッセージまたはＲＲＣリリースメッセージを送信することを含む、請求項１６に記載のメッセージ受信方法。
【請求項１９】
端末であって、
ネットワーク装置に無線リソース制御ＲＲＣ回復要求メッセージを送信する第１送信モジュールと、
前記無線リソース制御ＲＲＣ回復要求メッセージに答えて、前記ネットワーク装置が送信した第１ＲＲＣメッセージを受信する第１受信モジュールと、
前記ネットワーク装置に、前記第１ＲＲＣメッセージに答える第２ＲＲＣメッセージを送信する第２送信モジュールとを備え、
ここで、前記端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、前記第２ＲＲＣメッセージに、前記ＥＰＬＭＮの識別子を付帯する、端末。
【請求項２０】
端末であって、
端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、前記ＥＰＬＭＮの識別子を付帯する第３ＲＲＣメッセージをネットワーク装置を送信する第３送信モジュールを備える、端末。
【請求項２１】
ネットワーク装置であって、
端末から送信した無線リソース制御ＲＲＣ回復要求メッセージを受信する第２受信モジュールと、
前記無線リソース制御ＲＲＣ回復要求メッセージに答える第１ＲＲＣメッセージを送信する第４送信モジュールと、
前記端末が前記第１ＲＲＣメッセージに答えて送信した第２ＲＲＣメッセージを受信する第３受信モジュールとを備え、
ここで、前記端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、前記第２ＲＲＣメッセージに、前記ＥＰＬＭＮの識別子を付帯する、ネットワーク装置。
【請求項２２】
ネットワーク装置であって、
端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、送信した前記ＥＰＬＭＮの識別子を付帯する第３ＲＲＣメッセージを受信する第４受信モジュールを備える、ネットワーク装置。
【請求項２３】
端末であって、メモリ、プロセッサ及び前記メモリに記憶され、且つ前記プロセッサで実行可能のコンピューターのプログラムを備え、ここで、前記コンピューターのプログラムが前記プロセッサで実行される時に、請求項１から９のいずれか一項のメッセージ報告方法のステップを実現する、端末。
【請求項２４】
ネットワーク装置であって、メモリ、プロセッサ及び前記メモリに記憶され、且つまた前記プロセッサで実行可能のコンピューターのプログラムを備え、ここで、前記コンピューターのプログラムが前記プロセッサで実行される時に、請求項１０から１８のいずれか一項のメッセージ受信方法のステップを実現する、ネットワーク装置。
【請求項２５】
コンピュータ読み取り可能な記憶媒体であって、コンピューターのプログラムが記憶されていて、ここで、前記コンピューターのプログラムがプロセッサで実行される時に、請求項１から９のいずれか一項のメッセージ報告方法のステップを実現し、或いは、請求項１０から１８のいずれか一項のメッセージ受信方法のステップを実現する、コンピュータ読み取り可能な記憶媒体。
【発明の詳細な説明】
【技術分野】
【０００１】
（関連出願の相互参照）
本出願は、２０１８年９月２１日に中国で提出した中国特許出願Ｎｏ．２０１８１１１０９８７２．６の優先権を主張し、そのすべての内容が引用を通じてここに含まれる。
本公開は、通信技術分野、特にメッセージ報告方法、受信方法、端末及びネットワーク装置にかかわる。
【背景技術】
【０００２】
ユーザ装置（Ｕｓｅｒ  Ｅｑｕｉｐｍｅｎｔ，ＵＥ）など非アクティブＩｎａｃｔｉｖｅ状態にある端末は、アクセスネットワーク通知エリア（ＲＡＮ  Ｎｏｔｉｆｉｃａｔｉｏｎ  Ａｒｅａ，ＲＮＡ）の更新条件を満たした場合、ＲＮＡ更新Ｕｐｄａｔｅのプロセス（ＲＮＡＵプロセスと略称する）を始めることができる。ここで、当該ＲＮＡの更新条件は、周期的なＲＮＡＵのタイムアウト、またはユーザ装置ＵＥが配置されたＲＮＡエリアから移出される場合がある。
【０００３】
ＲＮＡＵプロセスでは、ユーザ装置ＵＥが基地局に無線リソース制御（Ｒａｄｉｏ  Ｒｅｓｏｕｒｃｅ  Ｃｏｎｔｒｏｌ，ＲＲＣ）回復プロセス（ＲＲＣ  Ｒｅｓｕｍｅ  Ｐｒｏｃｅｄｕｒｅ）を始めることができる。具体的には、基地局にＲＲＣ  Ｒｅｓｕｍｅ  Ｐｒｏｃｅｄｕｒｅを始める時に、まず、ユーザ装置ＵＥが基地局にＲＲＣ回復要求（ＲＲＣ  Ｒｅｓｕｍｅ  Ｒｅｑｕｅｓｔ）メッセージを出す。当該メッセージは原因値（ｃａｕｓｅ  ｖａｌｕｅ）を付帯する。ユーザ装置ＵＥがＲＮＡ更新条件を満たしたため、相応のＲＲＣプロセスを始めることを基地局に指示するために、当該原因値をＲＮＡＵに設置する。そして、基地局がユーザ装置ＵＥからのＲＲＣ回復要求メッセージを受信してから、ユーザ装置ＵＥにＲＲＣリリース（ＲＲＣ  Ｒｅｌｅａｓｅ）メッセージを返信する。当該リリースメッセージは、サスペンド配置（ｓｕｓｐｅｎｄ  ｃｏｎｆｉｇｕｒａｔｉｏｎ）メッセージを持っており、ＲＲＣ非アクティブ（Ｉｎａｃｔｉｖｅ）状態にあるようにユーザ装置ＵＥに指示する。また、このｓｕｓｐｅｎｄ  ｃｏｎｆｉｇｕｒａｔｉｏｎメッセージを通して、非アクティブなユーザ装置ＵＥ  Ｉｎａｃｔｉｖｅの関係パラメータ配置（ＲＮＡ配置メッセージが含まれる）を更新する。
【０００４】
このほか、非アクティブユーザ装置Ｉｎａｃｔｉｖｅ  ＵＥに地上公共移動通信ネットワーク（Ｐｕｂｌｉｃ  Ｌａｎｄ  Ｍｏｂｉｌｅ  Ｎｅｔｗｏｒｋ，ＰＬＭＮ）から等価ＰＬＭＮ（Ｅｑｕｉｖａｌｅｎｔ  ＰＬＭＮ，ＥＰＬＭＮ）への再選択を発した場合、ネットワークがユーザ装置ＵＥに対する効果的な管理を実現するために、ユーザ装置ＵＥが再選択したＥＰＬＭＮの識別子を基地局に報告することをサポートする。ただし、関係技術は、非アクティブユーザ装置Ｉｎａｃｔｉｖｅ  ＵＥでは、ＰＬＭＮからＥＰＬＭへの再選択を発し、且つＲＮＡ更新条件を満たした場合、ＲＮＡＵプロセスでは、基地局が返信したＭＳＧ４（ＲＲＣ  Ｒｅｌｅａｓｅ  ｗｉｔｈ  ｓｕｓｐｅｎｄ  ｃｏｎｆｉｇｕｒａｔｉｏｎ）は、ユーザ装置ＵＥが非アクティブ状態にあるよう指示したため、当該ユーザ装置ＵＥからＲＲＣ  Ｒｅｓｕｍｅ  Ｃｏｍｐｌｅｔｅメッセージを送信できず、再選択したＥＰＬＭＮを基地局に送信できないことを引き起こす。
【発明の概要】
【発明が解決しようとする課題】
【０００５】
本公開実施例は、非アクティブ状態にある端末で、ＰＬＭＮからＥＰＬＭＮへの再選択を発し、且つＲＮＡ更新条件を満たした場合、再選択したＥＰＬＭＮをネットワーク装置に報告できない問題を解決するために、メッセージ報告方法、受信方法、端末及びネットワーク装置を提供する。
【課題を解決するための手段】
【０００６】
一、本公開実施例は、端末に適用されるメッセージ報告方法を提供する。その内容は下記の通り。
ネットワーク装置にＲＲＣ回復要求メッセージを送信する。
上記ネットワーク装置が上記ＲＲＣ回復要求メッセージに答えて送信した第１ＲＲＣメッセージを受信する。
上記ネットワーク装置に、上記第１ＲＲＣメッセージに答える第２ＲＲＣメッセージを送信する。
ここで、上記端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、上記第２ＲＲＣメッセージには、上記ＥＰＬＭＮの識別子を付帯する。
【０００７】
二、本公開実施例は、端末に適用されるメッセージ報告方法を提供する。その内容は下記の通り。
端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、上記ＥＰＬＭＮの識別子を付帯する第３ＲＲＣメッセージをネットワーク装置に送信する。
【０００８】
三、本公開実施例は、ネットワーク装置に適用されるメッセージ受信方法を提供する。その内容は下記の通り。
端末から送信したＲＲＣ回復要求メッセージを受信する。
上記端末に、上記ＲＲＣ回復要求メッセージに答える第１ＲＲＣメッセージを送信する。
上記端末が上記第１ＲＲＣメッセージに答えて送信した第２ＲＲＣメッセージを受信する。
ここで、上記端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、上記第２ＲＲＣメッセージには、上記ＥＰＬＭＮの識別子を付帯する。
【０００９】
四、本公開実施例は、ネットワーク装置に適用されるメッセージ受信方法を提供する。その内容は下記の通り。
端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、送信した上記ＥＰＬＭＮの識別子を付帯する第３ＲＲＣメッセージを受信する。
【００１０】
五、本公開実施例は端末を提供する。その内容は下記の通り。
第１送信モジュールは、ネットワーク装置にＲＲＣ回復要求メッセージを送信する。
第１受信モジュールは、上記ＲＲＣ回復要求メッセージに答えて、上記ネットワーク装置が送信した第１ＲＲＣメッセージを受信する。
第２送信モジュールは、上記ネットワーク装置に、上記第１ＲＲＣメッセージに答える第２ＲＲＣメッセージを送信する。
【００１１】
ここで、上記端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、上記第２ＲＲＣメッセージには、上記ＥＰＬＭＮの識別子を付帯する。
【００１２】
六、本公開実施例は端末を提供する。その内容は下記の通り。
第３送信モジュールは、端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、上記ＥＰＬＭＮの識別子を付帯する第３ＲＲＣメッセージをネットワーク装置に送信する。
【００１３】
七、本公開実施例はネットワーク装置を提供する。その内容は下記の通り。
第２受信モジュールは、端末から送信したＲＲＣ回復要求メッセージを受信する。
第４送信モジュールは、上記ＲＲＣ回復要求メッセージに答える第１ＲＲＣメッセージを送信する。
第３受信モジュールは、上記端末が上記第１ＲＲＣメッセージに答えて送信した第２ＲＲＣメッセージを受信する。
ここで、上記端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、上記第２ＲＲＣメッセージには、上記ＥＰＬＭＮの識別子を付帯する。
【００１４】
八、本公開実施例はネットワーク装置を提供する。その内容は下記の通り。
第４受信モジュールは、端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、送信した上記ＥＰＬＭＮの識別子を付帯する第３ＲＲＣメッセージを受信する。
【００１５】
九、本公開実施例は、端末を提供しており、メモリ、プロセッサ及び上記メモリに記憶され、また上記プロセッサで操作可能のコンピューターのプログラムが含まれる。ここで、上記コンピューターのプログラムが上記プロセッサで操作される時に、上記端末に適用されるメッセージ報告方法のステップを実現する。
【００１６】
十、本公開実施例は、ネットワーク装置を提供しており、メモリ、プロセッサ及び上記メモリに記憶され、また上記プロセッサで操作可能のコンピューターのプログラムが含まれ、ここで、上記コンピューターのプログラムが上記プロセッサで操作される時に、上記ネットワーク装置に適用されるメッセージ報告方法のステップを実現する。
【００１７】
十一、本公開実施例は、コンピュータ読み取り可能な記憶媒体を提供し、その中にはコンピューターのプログラムが記憶されている。ここで、上記コンピューターのプログラムがプロセッサで操作される時に、上記端末に適用されるメッセージ報告方法のステップを実現する、あるいは上記ネットワーク装置に適用されるメッセージ受信方法のステップを実現する。
【発明の効果】
【００１８】
本公開実施例は一方では、端末が発起したＲＲＣ回復プロセスを通して、ＰＬＭＮからＥＰＬＭＮへの再選択を発した場合、またはＰＬＭＮからＥＰＬＭＮへの再選択を発し、且つＲＮＡ更新条件を満たした場合、端末がＲＲＣメッセージで再選択したＥＰＬＭＮの識別子を報告することで、非アクティブ状態にある端末で、ＰＬＭＮからＥＰＬＭＮへの再選択を発し、且つＲＮＡ更新条件を満たした場合でも、ネットワーク装置に再選択したＥＰＬＭＮの識別子を報告可能である。すなわち、ネットワーク装置が早速再選択したＥＰＬＭＮの識別子を得て、相応の通信性能を保証できるために、ＰＬＭＮからＥＰＬＭＮへの再選択を発したいかなる場合でも、再選択したＥＰＬＭＮの識別子を報告可能である。
【００１９】
他方では、端末が非アクティブ状態にある時、ＰＬＭＮからＥＰＬＭＮへの再選択を発した場合、またはＰＬＭＮからＥＰＬＭＮへの再選択を発し、且つ再選択したＥＰＬＭＮの識別子を報告するニーズを満足するうえ、シグナリング費用を削減し、通信性能を保証するために、直接にＲＲＣメッセージを借りて再選択したＥＰＬＭＮの識別子を報告することができる。
【００２０】
本公開実施例の技術方案をよりはっきりと説明するために、次に本公開実施例に利用される図面について簡単に紹介する。明らかに、下記の図面はただ本公開の一部の実施例で、本分野の普通の技術者にとって、創造的労働をしない前提で、これらの図面によってほかの図面を得ることができる。
【図面の簡単な説明】
【００２１】
【図１】本公開実施例のメッセージ報告方法の流れ図の１である。
【図２】本公開実施例のメッセージ報告方法の流れ図の２である。
【図３】本公開の具体例１のメッセージ報告プロセスの流れ図である。
【図４】本公開の具体例２のメッセージ報告プロセスの流れ図である。
【図５】本公開の具体例３のメッセージ報告プロセスの流れ図である。
【図６】本公開の具体例４のメッセージ報告プロセスの流れ図である。
【図７】本公開の具体例５のメッセージ報告プロセスの流れ図である。
【図８】本公開実施例のメッセージ受信方法の流れ図の１である。
【図９】本公開実施例のメッセージ受信方法の流れ図の２である。
【図１０】本公開実施例の端末の構成略図の１である。
【図１１】本公開実施例の端末の構成略図の２である。
【図１２】本公開実施例のネットワーク装置の構成略図の１である。
【図１３】本公開実施例のネットワーク装置の構成略図の２である。
【図１４】本公開実施例の端末の構成略図の３である。
【図１５】本公開実施例のネットワーク装置の構成略図の３である。
【発明を実施するための形態】
【００２２】
本公開実施例の技術方案をよりはっきりと説明するために、次に本公開実施例に利用される図面について簡単に紹介する。明らかに、下記の図面はただ本公開の一部の実施例で、本分野の普通の技術者にとって、創造的労働をしない前提で、これらの図面によってほかの図面を得ることができる。
【００２３】
図１に述べるとおり、本公開実施例は端末に適用されるメッセージ報告方法を提供する。上記方法は下記のステップが含まれる。
【００２４】
ステップ１０１：ネットワーク装置にＲＲＣ回復要求メッセージを送信する。
【００２５】
端末がＲＲＣ回復要求メッセージを送信する時には、非アクティブ（Ｉｎａｃｔｉｖｅ）状態にあることが理解できる。端末がＲＲＣ回復プロセスを始める前に、ＰＬＭＮからＥＰＬＭＮへの再選択を発したかどうか、またはＲＮＡ更新条件を満たすかどうかを監視することができる。なお、端末がＲＲＣ回復プロセスを始める前提条件は下記のいずれかに該当すること。ＰＬＭＮからＥＰＬＭＮへの再選択を発した場合、またはＲＮＡ更新条件を満たすと同時に、ＰＬＭＮからＥＰＬＭＮへの再選択を発した場合。
【００２６】
ステップ１０２：ＲＲＣ回復要求メッセージに答えて、ネットワーク装置が送信した第１ＲＲＣメッセージを受信する。
【００２７】
ここで、ＲＲＣ回復要求メッセージに答えて、ネットワーク装置が送信した第１ＲＲＣメッセージを受信することは、ネットワーク装置が端末から送信したＲＲＣ回復要求メッセージを受信してから、ＲＲＣ回復要求メッセージに答える第１ＲＲＣメッセージを端末に返信することができると理解できる。
【００２８】
本公開の具体的な実施例では、プロトコルの約定またはほかのプリセット条件に基づき、上記第１ＲＲＣメッセージが既有のＲＲＣメッセージでもよい。例えば、ＲＲＣ回復メッセージまたはＲＲＣリリースメッセージは、新しく定義したＲＲＣメッセージ（例えばＮｅｗ  ＲＲＣ  ｍｅｓｓａｇｅ＿１）でもよい。
【００２９】
説明する必要があるのは、上記第１ＲＲＣメッセージがＲＲＣリリースメッセージの場合、端末が再選択したＥＰＬＭＮの識別子を報告できることを保証するために、当該ＲＲＣリリースメッセージには、無線リソース配置メッセージが含まれるサスペンド配置（ｓｕｓｐｅｎｄ  ｃｏｎｆｉｇｕｒａｔｉｏｎ）メッセージをつけることができることである。端末がこの指示されたリソースを利用して第２ＲＲＣメッセージを送信するために、当該無線リソース配置メッセージは、第２ＲＲＣメッセージが占用したリソースを指示することができる。
【００３０】
ステップ１０３：ネットワーク装置に、第１ＲＲＣメッセージに答える第２ＲＲＣメッセージを送信する。
【００３１】
ここで、端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、上記第２ＲＲＣメッセージは、再選択したＥＰＬＭＮの識別子を付帯する。上記ネットワーク装置に第１ＲＲＣメッセージに答える第２ＲＲＣメッセージを送信することは、端末がネットワーク装置から送信した第１ＲＲＣメッセージを受信してから、ネットワーク装置に第１ＲＲＣメッセージに答える第２ＲＲＣメッセージを返信することができると理解できる。
【００３２】
本公開の具体的な実施例では、協議の約定またはほかのプリセット条件に基づき、上記第２ＲＲＣメッセージが既有のＲＲＣメッセージでもよい。例えば、ＲＲＣ回復完成メッセージは、新しく定義したＲＲＣメッセージ（例えばＮｅｗ  ＲＲＣ  ｍｅｓｓａｇｅ＿２あるいはＮｅｗ  ＲＲＣ  ｍｅｓｓａｇｅ＿３）でもよい。
【００３３】
例えば、具体的に実現する時に、上記第１ＲＲＣメッセージをＲＲＣ回復メッセージとして、同時に上記第２ＲＲＣメッセージをＲＲＣ回復完成メッセージとすることができる。あるいは、上記第１ＲＲＣメッセージをＲＲＣリリースメッセージとして、同時に上記第２ＲＲＣメッセージをＮｅｗ  ＲＲＣ  ｍｅｓｓａｇｅ＿２とすることができる。あるいは、上記第１ＲＲＣメッセージをＮｅｗ  ＲＲＣ  ｍｅｓｓａｇｅ＿１とし、同時に上記第２ＲＲＣメッセージをＮｅｗ  ＲＲＣ  ｍｅｓｓａｇｅ＿３とすることができる。
【００３４】
本公開実施例は、端末が発起したＲＲＣ回復プロセスを通して、ＰＬＭＮからＥＰＬＭＮへの再選択を発した場合、またはＰＬＭＮからＥＰＬＭＮへの再選択を発し、且つＲＮＡ更新条件を満たした場合、端末がＲＲＣメッセージで再選択したＥＰＬＭＮの識別子を報告することで、非アクティブ状態にある端末で、ＰＬＭＮからＥＰＬＭＮへの再選択を発し、且つＲＮＡ更新条件を満たした場合でも、ネットワーク装置に再選択したＥＰＬＭＮの識別子を報告可能である。すなわち、ネットワーク装置が早速再選択したＥＰＬＭＮの識別子を得て、相応の通信性能を保証できるために、ＰＬＭＮからＥＰＬＭＮへの再選択を発したいかなる場合でも、再選択したＥＰＬＭＮの識別子を報告可能である。
【００３５】
本公開の具体的な実施例では、上記ＲＲＣ回復要求メッセージは、端末でＰＬＭＮからＥＰＬＭＮへの再選択した場合、またはＰＬＭＮからＥＰＬＭＮへの再選択を発し、且つＲＮＡ更新条件を満たした場合に送信した場合、上記ＲＲＣ回復要求メッセージには、第１原因値を持つことができる。当該第１原因値は、端末でＰＬＭＮからＥＰＬＭＮへの再選択を発し、すなわちＰＬＭＮからＥＰＬＭＮへの再選択を発したため発起した相応のＲＲＣ回復プロセスを指示する。または、ＰＬＭＮからＥＰＬＭＮへの再選択を発し、且つＲＮＡ更新条件を満たした場合、すなわち、ＰＬＭＮからＥＰＬＭＮへの再選択を発し、且つＲＮＡ更新条件を満たしたため発起した相応のＲＲＣ回復プロセスを指示する。
【００３６】
説明する必要があるのは、上記第１原因値が新しい原因値を選択可能であることである。ネットワーク装置が端末にＲＲＣ回復要求メッセージに答える第１ＲＲＣメッセージを返信する時に、ＲＲＣ回復要求メッセージが付帯する第１原因値に基づいて、相応の第１ＲＲＣメッセージを確定することができる。例えば、当該第１原因値が端末でＰＬＭＮからＥＰＬＭＮへの再選択を発したことを指示した場合、ネットワーク装置では、第１ＲＲＣメッセージをＲＲＣ回復メッセージ、ＲＲＣリリースメッセージ、あるいはＮｅｗ  ＲＲＣ  ｍｅｓｓａｇｅ＿１と確定することができる。または、当該第１原因値が端末でＰＬＭＮからＥＰＬＭＮへの再選択を発し、且つＲＮＡ更新条件を満たしたことを指示した場合、ネットワーク装置では、第１ＲＲＣメッセージをＲＲＣ回復メッセージ、ＲＲＣリリースメッセージ、あるいはＮｅｗ  ＲＲＣ  ｍｅｓｓａｇｅ＿１と確定することができる。
【００３７】
さらに、上記第１原因値が端末の非アクセス層（Ｎｏｎ−Ａｃｃｅｓｓ  Ｓｔｒａｔｕｍ，ＮＡＳ）によって決定し、また、再選択したＥＰＬＭＮの識別子をアクセス層（Ａｃｃｅｓｓ  Ｓｔｒａｔｕｍ，ＡＳ）に提供する時に、同時にＡＳ層に提供する。または、上記第１原因値が、ＮＡＳ層がＡＳ層に再選択したＥＰＬＭＮの識別子を提供してから、端末のＡＳ層によって決定される。すなわち、ＮＡＳ層がＡＳ層に再選択したＥＰＬＭＮの識別子を提供した後、ＡＳ層によって、当該第１原因値を設定する。
【００３８】
または、上記ＲＲＣ回復要求メッセージは、端末でＰＬＭＮからＥＰＬＭＮへの再選択を発した場合、またはＰＬＭＮからＥＰＬＭＮへの再選択を発し、且つＲＮＡ更新条件を満たした場合に送信した場合、上記ＲＲＣ回復要求メッセージには、第２原因値をつけることができる。当該第２原因値は、端末にアップリンクデータ送信またはアップリンクシグナリング送信があることを指示する。
【００３９】
説明する必要があるのは、上記第２原因値は、既有の原因値を利用することができることである。例えば、当該第２原因値はｍｏ−ｓｉｎｇａｌｌｉｎｇあるいはｍｏ−ｄａｔａに設置されることができる。ネットワーク装置は、第２原因値を付帯するＲＲＣ回復要求メッセージを受信してから、端末にＲＲＣ回復要求メッセージを答えるＲＲＣ回復メッセージを返信して、さらに端末がネットワーク装置に、ＲＲＣ回復メッセージを答えるＲＲＣ回復完成メッセージを返信することができる。
【００４０】
さらに、上記第２原因値が端末のＮＡＳ層によって決定され、また再選択したＥＰＬＭＮの識別子をＡＳ層に提供すると同時に、上記第２原因値もＡＳ層に提供する。あるいは、上記第２原因値が端末のＮＡＳ層によって決定され、また再選択したＥＰＬＭＮの識別子をＡＳ層に提供すると同時に、上記第２原因値もＡＳ層に提供する。同時に、ＮＡＳシグナリングプロセスを触発し、当該ＮＡＳシグナリングプロセスは移動的登録更新プロセス、または核心的ネットワークフォローエリア更新プロセス等を選択することができる。または、上記第２原因値は、ＮＡＳ層がＡＳ層に再選択したＥＰＬＭＮの識別子を提供してから、端末のＡＳ層によって決定される。すなわち、ＮＡＳ層がＡＳ層に再選択したＥＰＬＭＮの識別子を提供してから、ＡＳ層によって、当該第２原因値を設置する。
【００４１】
または、上記ＲＲＣ回復要求メッセージは、端末でＰＬＭＮからＥＰＬＭＮへの再選択を発した場合、またはＰＬＭＮからＥＰＬＭＮへの再選択を発し、且つＲＮＡ更新条件を満たした場合に送信した場合、上記ＲＲＣ回復要求メッセージには、指示メッセージをつけることができる。当該指示メッセージは、端末でＰＬＭＮからＥＰＬＭＮへの再選択を発したかどうかを指示する。
【００４２】
説明する必要があるのは、上記指示メッセージは１ビット識別子メッセージを選択することができることである。ネットワーク装置が端末にＲＲＣ回復要求メッセージに答える第１ＲＲＣメッセージを返信する時に、ＲＲＣ回復要求メッセージにつけている当該指示メッセージに基づいて、相応の第１ＲＲＣメッセージを確定することができる。例えば、当該指示メッセージが、端末でＰＬＭＮからＥＰＬＭＮへの再選択を発したことを指示した場合、ネットワーク装置では、第１ＲＲＣメッセージをＲＲＣ回復メッセージ、ＲＲＣリリースメッセージ、あるいはＮｅｗ  ＲＲＣ  ｍｅｓｓａｇｅ＿１と確定することができる。
【００４３】
本公開の具体的な実施例では、プロトコルの要求を考慮して、ネットワーク装置のブロードキャストしたＰＬＭＮリストには、端末の登録地上公共移動通信ネットワーク（Ｒｅｇｉｓｔｅｒｅｄ  ＰＬＭＮ，ＲＰＬＭＮ）が含まれる場合、当該端末は、いかなるほかのＰＬＭＮへの再選択をできない。すなわち、ネットワーク装置のブロードキャストしたＰＬＭＮリストには、端末のＲＰＬＭＮが含まれない場合、当該端末がＥＰＬＭＮへの再選択を発する可能性がある。それゆえ、端末でＰＬＭＮからＥＰＬＭＮへの再選択を発した場合、再選択したＥＰＬＭＮの識別子を報告できるように、関係技術のＲＮＡＵプロセスを借りて、ネットワーク装置が端末の上下文の状況によって、ＲＲＣ回復要求メッセージを答えるＲＲＣメッセージを選択できる。
【００４４】
オプションとして、上記ＲＲＣ回復要求メッセージが、端末でＲＮＡ更新条件を満たした場合に送信した場合、上記第１ＲＲＣメッセージは、ネットワーク装置で、未回復セルブロードキャストのＰＬＭＮリストに端末のＲＰＬＭＮが含まない状況で送信することができる。さらに、当該第１ＲＲＣメッセージをＲＲＣ回復メッセージとし、当該第２ＲＲＣメッセージをＲＲＣ回復完成メッセージとすることができる。
【００４５】
理解できるのは、基地局などの同一ネットワーク装置では、複数のセルが存在する可能性があることである。それぞれのセルがそれぞれのＰＬＭＮリストをブロードキャストすることができるため、ネットワーク装置が受信しＲＲＣ回復要求メッセージに基づいて判断する場合、ＲＲＣ回復プロセスの相応する未回復セルに対して判断することができる。
【００４６】
未回復セルでブロードキャストするＰＬＭＮリストに端末のＲＰＬＭＮが含まれると判断した場合、ネットワーク装置が端末にＲＲＣリリースメッセージを送信し、この時に端末がＲＲＣ非アクティブ状態を保つ。この場合、端末がいかなるほかのＰＬＭＮへの再選択をしない。すなわち、ＥＰＬＭＮへの再選択ができないため、報告しなくてもよい。
【００４７】
これで、ネットワーク装置を借りて、ブロードキャストされたＰＬＭＮリストにＲＰＬＭＮがあるかどうかを判断するために送信したＲＲＣ回復メッセージは、ＰＬＭＮからＥＰＬＭＮへの再選択を発した場合、再選択したＥＰＬＭＮの識別子を報告することを実現できる。
【００４８】
本公開実施例では、端末が上記発起したＲＲＣ回復プロセスを借りて再選択したＥＰＬＭＮの識別子を報告するほか、新たなＲＲＣプロセスを発起して報告することもできる。詳細は下記の通り。
【００４９】
図２に述べるとおり、本公開実施例は端末に適用されるメッセージ報告方法を提供する。上記方法は下記のステップが含まれる。
【００５０】
ステップ２０１：端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、上記ＥＰＬＭＮの識別子を付帯する第３ＲＲＣメッセージをネットワーク装置に送信する。
【００５１】
ここで、上記第３ＲＲＣメッセージは新しいＲＲＣメッセージ（例えばＮｅｗ  ＲＲＣ  ｍｅｓｓａｇｅ＿４）を選択することができる。正確に識別して検証するために、上記第３ＲＲＣメッセージには、付帯するＥＰＬＭＮの識別子のほか、下記のメッセージの少なくとも一つを持つこともできる。
【００５２】
端末の識別子、メッセージ完全性保護認証コード（Ｍｅｓｓａｇｅ  Ａｕｔｈｅｎｔｉｃａｔｉｏｎ  ｃｏｄｅ  −  Ｉｎｔｅｇｒｉｔｙ，ＭＡＣ−Ｉ）及び短くしたＭＡＣ−Ｉ。
【００５３】
理解できるのは、具体的に実現する時に、上記第３ＲＲＣメッセージには、ＭＡＣ−Ｉまたは短くしたＭＡＣ−Ｉのいずれか一つを持っていてもよい。ＭＡＣ−Ｉあるいは短くしたＭＡＣ−Ｉを借りて、端末の識別子について検証して、正確に識別することができる。
【００５４】
上記端末の識別子は少なくても下記のいずれか一つに該当する。（非アクティブ状態の無線ネットワーク臨時識別子  Ｉｎａｃｔｉｖｅ−ｒａｄｉｏ  ｎｅｔｗｏｒｋ  ｔｅｍｐｏｒａｒｙ  ｉｄｅｎｔｉｆｉｅｒ，Ｉ−ＲＮＴＩ）、回復識別子（ｒｅｓｕｍｅ  ＩＤ）、端末コンテクスト識別子（ＵＥ  ｃｏｎｔｅｘｔ  ＩＤ）及び５Ｇ  Ｓ−臨時移動予約購読識別子（５Ｇ  Ｓ−Ｔｅｍｐｏｒａｒｙ  Ｍｏｂｉｌｅ  Ｓｕｂｓｃｒｉｐｔｉｏｎ  Ｉｄｅｎｔｉｆｉｅｒ，５Ｇ−Ｓ−ＴＭＳＩ）。
【００５５】
オプションとして、ステップ２０１の後で、上記方法は下記の内容を含むことができる。
【００５６】
端末が、上記第３ＲＲＣメッセージに答えて、上記ネットワーク装置が送信した第４ＲＲＣメッセージまたはＲＲＣリリースメッセージを受信する。
【００５７】
ここで、上記第４ＲＲＣメッセージは新しいＲＲＣメッセージ（例えばＮｅｗ  ＲＲＣ  ｍｅｓｓａｇｅ＿５）を選択することができる。これで、第４ＲＲＣメッセージまたはＲＲＣリリースメッセージを借りて、端末は、ネットワーク装置が再選択したＥＰＬＭＮの識別子を得た情報を取得したため、相応の通信性能を保証できる。
【００５８】
理解できるのは、本公開実施例では、新しいＲＲＣプロセスが第３ＲＲＣメッセージ（例えばＮｅｗ  ＲＲＣ  ｍｅｓｓａｇｅ＿４）を利用して実現したプロセス（ワンステッププロセス）でもよいし、第３ＲＲＣメッセージ（例えばＮｅｗ  ＲＲＣ  ｍｅｓｓａｇｅ＿４）及び既有のＲＲＣ  Ｒｅｌｅａｓｅ  メッセージ（ＭＳＧ４）を利用して実現したプロセスでもよいし、第３ＲＲＣメッセージ（例えばＮｅｗ  ＲＲＣ  ｍｅｓｓａｇｅ＿４）及び第４ＲＲＣメッセージ（Ｎｅｗ  ＲＲＣ  ｍｅｓｓａｇｅ＿５）を利用して実現したプロセスでもよい。
【００５９】
これで、端末が非アクティブ状態にある時、ＰＬＭＮからＥＰＬＭＮへの再選択を発した場合、またはＰＬＭＮからＥＰＬＭＮへの再選択を発し、且つ再選択したＥＰＬＭＮの識別子を報告するニーズを満足するうえ、シグナリング費用を削減し、通信性能を保証するために、直接にＲＲＣメッセージを借りて再選択したＥＰＬＭＮの識別子を報告することができる。
【００６０】
これから、図３から図７までの図と結び付けて、本公開の具体例１から５までのメッセージ報告プロセスについて、詳しく説明する。
【００６１】
実例一
実例一では、非アクティブ状態にある端末は、ＲＲＣ回復プロセスを始めることで再選択したＥＰＬＭＮの識別子を報告する。なお、ＲＲＣ回復プロセスを始める時に、相応のＲＲＣ回復要求メッセージに新しい原因値を持つことができる。この実例の中のネットワーク装置は、基地局、ＮＧ−ＲＡＮノード等となることができる。
【００６２】
図３の通り、相応のメッセージ報告プロセスは、下記のステップを含むことができる。
【００６３】
ステップ３１：非アクティブユーザ装置Ｉｎａｃｔｉｖｅ  ＵＥは、ＰＬＭＮからＥＰＬＭＮへの再選択を発したかどうか、またはＲＮＡ更新条件を満たすかどうかを監視する。ここで、ＰＬＭＮからＥＰＬＭＮへの再選択を発した場合、またはＰＬＭＮからＥＰＬＭＮへの再選択を発し、且つＲＮＡ更新条件を満たした場合、ユーザ装置ＵＥは、基地局にＲＲＣ回復プロセス（ＲＲＣ  Ｒｅｓｕｍｅ  Ｐｒｏｃｅｄｕｒｅ）を始めることができる。
【００６４】
ステップ３２：ＰＬＭＮからＥＰＬＭＮへの再選択を発した場合、またはＰＬＭＮからＥＰＬＭＮへの再選択を発し、且つＲＮＡ更新条件を満たした場合に送信した場合、ユーザ装置ＵＥは、基地局にＲＲＣ回復要求（ＲＲＣ  Ｒｅｓｕｍｅ  Ｒｅｑｕｅｓｔ）メッセージを始めることができる。ここで、当該要求メッセージには、第１原因値をつけることができる。当該第１原因値は、ユーザ装置ＵＥでＰＬＭＮからＥＰＬＭＮへの再選択を発し、またはＰＬＭＮからＥＰＬＭＮへの再選択を発し、且つＲＮＡ更新条件を満たすことを指示する。
【００６５】
オプションとして、当該第１原因値に対する説明は、上記図１による実施例の説明を参照する。ここでは贅言は要しない。
【００６６】
ステップ３３：基地局が、ＲＲＣ回復要求メッセージを受信してから、その中の第１原因値を読み取り、ＲＲＣ回復要求メッセージを答える第１ＲＲＣメッセージをユーザ装置ＵＥに返信する。ここで、当該第１ＲＲＣメッセージが、ＲＲＣ回復メッセージ、ＲＲＣリリースメッセージあるいはＮｅｗ  ＲＲＣ  ｍｅｓｓａｇｅ＿１を選択することができる。
【００６７】
ステップ３４：ＲＲＣ回復メッセージを受信した場合、ユーザ装置ＵＥが基地局にＲＲＣ回復メッセージを答えるＲＲＣ回復完成メッセージを返信する。ここで、当該ＲＲＣ回復完成メッセージには、上記ＥＰＬＭＮの識別子（ＰＬＭＮ  ＩＤ）を付けており、ユーザ装置ＵＥがＲＲＣ接続ｃｏｎｎｅｃｔｅｄ状態に入る。
【００６８】
ステップ３５：ＲＲＣリリースメッセージを受信して、また当該ＲＲＣリリースメッセージには、無線リソース配置メッセージを含むｓｕｓｐｅｎｄ  ｃｏｎｆｉｇｕｒａｔｉｏｎメッセージを付けており、当該無線リソース配置メッセージが無線リソースを指示できる場合、ユーザ装置ＵＥが基地局にＲＲＣ回復メッセージを答えるＮｅｗ  ＲＲＣ  ｍｅｓｓａｇｅ＿２を返信する。ここで、当該Ｎｅｗ  ＲＲＣ  ｍｅｓｓａｇｅ＿２には、ＥＰＬＭＮ  ＩＤを付けており、ユーザ装置ＵＥがＲＲＣ  ｉｎａｃｔｉｖｅ状態を保つ。
【００６９】
ステップ３６：Ｎｅｗ  ＲＲＣ  ｍｅｓｓａｇｅ＿１を受信した場合、ユーザ装置ＵＥが基地局にＲＲＣ回復メッセージを答えるＮｅｗ  ＲＲＣ  ｍｅｓｓａｇｅ＿３を返信する。ここで、当該Ｎｅｗ  ＲＲＣ  ｍｅｓｓａｇｅ＿３には、ＥＰＬＭＮ  ＩＤを付けており、ユーザ装置ＵＥがＲＲＣ  ｉｎａｃｔｉｖｅ状態を保つ。
【００７０】
実例二
実例二では、非アクティブ状態にある端末は、ＲＲＣ回復プロセスを始めることで再選択したＥＰＬＭＮの識別子を報告する。なお、ＲＲＣ回復プロセスを始める時に、相応のＲＲＣ回復要求メッセージに再利用の原因値を付帯することができる。この実例の中のネットワーク装置は、基地局、ＮＧ−ＲＡＮノード等となることができる。
【００７１】
図４の通り、相応のメッセージ報告プロセスは、下記のステップを含むことができる。
ステップ４１：非アクティブユーザ装置Ｉｎａｃｔｉｖｅ  ＵＥは、ＰＬＭＮからＥＰＬＭＮへの再選択を発したかどうか、またはＲＮＡ更新条件を満たすかどうかを監視する。ここで、ＰＬＭＮからＥＰＬＭＮへの再選択を発した場合、またはＰＬＭＮからＥＰＬＭＮへの再選択を発し、且つＲＮＡ更新条件を満たした場合、ユーザ装置ＵＥは、基地局にＲＲＣ回復プロセスを始めることができる。
【００７２】
ステップ４２：ＰＬＭＮからＥＰＬＭＮへの再選択を発した場合、またはＰＬＭＮからＥＰＬＭＮへの再選択を発し、且つＲＮＡ更新条件を満たした場合に送信した場合、ユーザ装置ＵＥは、基地局にＲＲＣ回復要求メッセージを始めることができる。ここで、当該要求メッセージには、第２原因値をつけることができる。当該第２原因値は、ユーザ装置ＵＥにアップリンクデータ送信またはアップリンクシグナリング送信があることを指示し、ｍｏ−ｓｉｎｇａｌｌｉｎｇあるいはｍｏ−ｄａｔａに設置することができる。
【００７３】
オプションとして、当該第２原因値に対する説明は、上記図１による実施例の説明を参照する。ここでは贅言は要しない。
【００７４】
ステップ４３：基地局が、ＲＲＣ回復要求メッセージを受信してから、その中の第２原因値を読み取り、ＲＲＣ回復要求メッセージを答えるＲＲＣ回復メッセージをユーザ装置ＵＥに返信する。
【００７５】
ステップ４４：ＲＲＣ回復メッセージを受信した後、ユーザ装置ＵＥが基地局にＲＲＣ回復メッセージを答えるＲＲＣ回復完成メッセージを返信する。ここで、当該ＲＲＣ回復完成メッセージには、ＥＰＬＭＮ  ＩＤを付けており、ユーザ装置ＵＥがＲＲＣ  ｃｏｎｎｅｃｔｅｄ状態に入る。
【００７６】
実例三
実例三では、非アクティブ状態にある端末は、ＲＲＣ回復プロセスを始めることで再選択したＥＰＬＭＮの識別子を報告する。なお、ＲＲＣ回復プロセスを始める時に、相応のＲＲＣ回復要求メッセージに、ＰＬＭＮからＥＰＬＭＮへの再選択を発したことを指示するメッセージを付帯することができる。この実例の中のネットワーク装置は、基地局、ＮＧ−ＲＡＮノード等となることができる。
【００７７】
図５の通り、相応のメッセージ報告プロセスは、下記のステップを含むことができる。
【００７８】
ステップ５１：非アクティブユーザ装置Ｉｎａｃｔｉｖｅ  ＵＥは、ＰＬＭＮからＥＰＬＭＮへの再選択を発したかどうか、またはＲＮＡ更新条件を満たすかどうかを監視する。ここで、ＰＬＭＮからＥＰＬＭＮへの再選択を発した場合、またはＰＬＭＮからＥＰＬＭＮへの再選択を発し、且つＲＮＡ更新条件を満たした場合、ユーザ装置ＵＥは、基地局にＲＲＣ回復プロセスを始めることができる。
【００７９】
ステップ５２：ＰＬＭＮからＥＰＬＭＮへの再選択を発した場合、またはＰＬＭＮからＥＰＬＭＮへの再選択を発し、且つＲＮＡ更新条件を満たした場合に送信した場合、ユーザ装置ＵＥは、基地局にＲＲＣ回復要求メッセージを始めることができる。ここで、当該要求メッセージには、ＰＬＭＮからＥＰＬＭＮへの再選択を発したことを指示するメッセージを付帯することができる。当該指示メッセージは、例えば１ビットの識別情報とすることができる。
【００８０】
ステップ５３：基地局が、ＲＲＣ回復要求メッセージを受信してから、その中の原因値及び１ビットの識別情報を読み取り、ＲＲＣ回復要求メッセージを答える第１ＲＲＣメッセージをユーザ装置ＵＥに返信する。ここで、当該第１ＲＲＣメッセージは、ＲＲＣ回復メッセージ、ＲＲＣリリースメッセージあるいはＮｅｗ  ＲＲＣ  ｍｅｓｓａｇｅ＿１を選択することができる。
【００８１】
ステップ５４：ＲＲＣ回復メッセージを受信した場合、ユーザ装置ＵＥが基地局にＲＲＣ回復メッセージを答えるＲＲＣ回復完成メッセージを返信する。ここで、当該ＲＲＣ回復完成メッセージには、ＥＰＬＭＮ  ＩＤを付けており、ユーザ装置ＵＥがＲＲＣ  ｃｏｎｎｅｃｔｅｄ状態に入る。
【００８２】
ステップ５５：ＲＲＣリリースメッセージを受信して、また当該ＲＲＣリリースメッセージには、無線リソース配置メッセージを含むｓｕｓｐｅｎｄ  ｃｏｎｆｉｇｕｒａｔｉｏｎメッセージを付けており、当該無線リソース配置メッセージが無線リソースを指示できる場合、ユーザ装置ＵＥが基地局にＲＲＣ回復メッセージを答えるＮｅｗ  ＲＲＣ  ｍｅｓｓａｇｅ＿２を返信する。ここで、当該Ｎｅｗ  ＲＲＣ  ｍｅｓｓａｇｅ＿２には、ＥＰＬＭＮ  ＩＤを付けており、ユーザ装置ＵＥがＲＲＣ  ｉｎａｃｔｉｖｅ状態を保つ。
【００８３】
ステップ５６：Ｎｅｗ  ＲＲＣ  ｍｅｓｓａｇｅ＿１を受信した場合、ユーザ装置ＵＥが基地局にＲＲＣ回復メッセージを答えるＮｅｗ  ＲＲＣ  ｍｅｓｓａｇｅ＿３を返信する。ここで、当該Ｎｅｗ  ＲＲＣ  ｍｅｓｓａｇｅ＿３には、ＥＰＬＭＮ  ＩＤを付けており、ユーザ装置ＵＥがＲＲＣ  ｉｎａｃｔｉｖｅ状態を保つ。
【００８４】
実例四
実例四では、非アクティブ状態にある端末は、ＲＲＣ回復プロセスを始めることで再選択したＥＰＬＭＮの識別子を報告する。なお、当該ＲＲＣ回復プロセスは、関係技術のＲＮＡＵメカニズムを利用することができる。この実例の中のネットワーク装置は、基地局、ＮＧ−ＲＡＮノード等となることができる。
【００８５】
図６の通り、相応のメッセージ報告プロセスは、下記のステップを含むことができる。
【００８６】
ステップ６１：非アクティブユーザ装置Ｉｎａｃｔｉｖｅ  ＵＥは、ＲＮＡ更新条件を満たすかどうかを監視する。ここで、ＲＮＡ更新条件を満たした場合、ユーザ装置ＵＥは、基地局にＲＲＣ回復プロセスを始めさせることができる。
【００８７】
ステップ６２：ＲＮＡ更新条件を満たした場合、ユーザ装置ＵＥは基地局にＲＲＣ回復要求メッセージを送信する。ここで、当該要求メッセージには、原因値をつけることができる。当該原因値はＲＮＡＵに設置されることができる。
【００８８】
ステップ６３：基地局がＲＲＣ回復要求メッセージを受信してから、ユーザ装置ＵＥコンテクストを取得するプロセスを始める。ここで、取得したユーザ装置ＵＥコンテクストには、基地局ブロードキャストのＰＬＭＮリストを含むことができる。
【００８９】
ステップ６４：基地局は、未回復セルのブロードキャストのＰＬＭＮリストに当該ユーザ装置ＵＥのＲＰＬＭＮを含むかどうかを判断する。
【００９０】
ステップ６５：当該ユーザ装置ＵＥのＲＰＬＭＮを含まない場合、基地局は、ユーザ装置ＵＥにＲＲＣ回復要求メッセージを答えるＲＲＣ回復メッセージを返信する。
【００９１】
ステップ６６：当該ユーザ装置ＵＥのＲＰＬＭＮを含む場合、基地局はユーザ装置ＵＥにＲＲＣ回復要求メッセージを答えるＲＲＣリリースメッセージ（ＭＳＧ４）を返信する。ここで、当該ＭＳＧ４は、ｓｕｓｐｅｎｄ  ｃｏｎｆｉｇｕｒａｔｉｏｎメッセージ（関係技術の中のメカニズムと同じ）を付帯することができる。ユーザ装置ＵＥは、ＲＲＣ  ｉｎａｃｔｉｖｅ状態を保つ。
【００９２】
ステップ６７：ＲＲＣ回復メッセージを受信した場合、ユーザ装置ＵＥが基地局にＲＲＣ回復メッセージを答えるＲＲＣ回復完成メッセージを返信する。ここで、ステップ６２を始める場合、ユーザ装置ＵＥのＮＡＳ層がＡＳ層に、再選択したＰＬＭＮ  ＩＤを提供した場合、当該ＲＲＣ回復完成メッセージには、ＥＰＬＭＮ  ＩＤを付帯する。ＰＬＭＮ  ＩＤを提供しない場合は、ＥＰＬＭＮ  ＩＤを付けていない。ユーザ装置ＵＥがＲＲＣ  ｃｏｎｎｅｃｔｅｄ状態に入る。
【００９３】
実例五
実例五では、非アクティブ状態にある端末は、新しいＲＲＣプロセスを利用して、再選択したＥＰＬＭＮの識別子を報告することができる。図７の通り、相応のメッセージ報告プロセスは、下記のステップを含むことができる。
【００９４】
ステップ７１：非アクティブユーザ装置Ｉｎａｃｔｉｖｅ  ＵＥは、ＰＬＭＮからＥＰＬＭＮへの再選択を発したかどうか、またはＲＮＡ更新条件を満たすかどうかを監視する。ここで、ＰＬＭＮからＥＰＬＭＮへの再選択を発した場合、またはＰＬＭＮからＥＰＬＭＮへの再選択を発し、且つＲＮＡ更新条件を満たした場合、ユーザ装置ＵＥは、基地局に新しいＲＲＣプロセスを始めることができる。
【００９５】
ステップ７２：ＰＬＭＮからＥＰＬＭＮへの再選択を発した場合、またはＰＬＭＮからＥＰＬＭＮへの再選択を発し、且つＲＮＡ更新条件を満たした場合に送信した場合、ユーザ装置ＵＥは基地局にＮｅｗ  ＲＲＣ  ｍｅｓｓａｇｅ＿４を送信する。ここで、当該Ｎｅｗ  ＲＲＣ  ｍｅｓｓａｇｅ＿４には、少なくても再選択したＥＰＬＭＮ  ＩＤを付帯する。
【００９６】
ステップ７３：基地局は、ユーザ装置ＵＥにＮｅｗ  ＲＲＣ  ｍｅｓｓａｇｅ＿４を答えるＮｅｗ  ＲＲＣ  ｍｅｓｓａｇｅ＿５を返信する。または、ｓｕｓｐｅｎｄ  ｃｏｎｆｉｇｕｒａｔｉｏｎメッセージを付帯するＲＲＣ  Ｒｅｌｅａｓｅメッセージ（ＭＳＧ４、関係技術の中のメカニズムと同じ）を返信する。ユーザ装置ＵＥがＲＲＣ  ｉｎａｃｔｉｖｅ状態を保つ。
【００９７】
図８に述べるとおり、本公開実施例はメッセージ受信方法を提供して、ネットワーク装置に利用する。上記方法は下記のステップが含まれる。
【００９８】
ステップ８０１：端末から送信したＲＲＣ回復要求メッセージを受信する。
ステップ８０２：上記端末に、上記ＲＲＣ回復要求メッセージに答える第１ＲＲＣメッセージを送信する。
ステップ８０３：上記端末が上記第１ＲＲＣメッセージに答えて送信した第２ＲＲＣメッセージを受信する。
【００９９】
ここで、上記端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、上記第２ＲＲＣメッセージには、上記ＥＰＬＭＮの識別子を付帯する。
【０１００】
本公開実施例は、端末が発起したＲＲＣ回復プロセスを通して、ＰＬＭＮからＥＰＬＭＮへの再選択を発した場合、またはＰＬＭＮからＥＰＬＭＮへの再選択を発し、且つＲＮＡ更新条件を満たした場合、端末がＲＲＣメッセージで再選択したＥＰＬＭＮの識別子を報告することで、非アクティブ状態にある端末で、ＰＬＭＮからＥＰＬＭＮへの再選択を発し、且つＲＮＡ更新条件を満たした場合でも、ネットワーク装置に再選択したＥＰＬＭＮの識別子を報告可能である。すなわち、ネットワーク装置が早速再選択したＥＰＬＭＮの識別子を得て、相応の通信性能を保証できるために、ＰＬＭＮからＥＰＬＭＮへの再選択を発したいかなる場合でも、再選択したＥＰＬＭＮの識別子を報告可能である。
【０１０１】
本公開の具体例では、オプションとして、上記ＲＲＣ回復要求メッセージは、端末でＰＬＭＮからＥＰＬＭＮへの再選択を発した場合、またはＰＬＭＮからＥＰＬＭＮへの再選択を発し、且つＲＮＡ更新条件を満たした場合に送信する。
【０１０２】
上記ＲＲＣ回復要求メッセージには、第１原因値を付帯する。上記第１原因値は、上記端末でＰＬＭＮからＥＰＬＭＮへの再選択を発し、またはＰＬＭＮからＥＰＬＭＮへの再選択を発し、且つＲＮＡ更新条件を満たすことを指示する。
【０１０３】
あるいは、上記ＲＲＣ回復要求メッセージには、第２原因値を付帯する。上記第２原因値は、端末にアップリンクデータ送信またはアップリンクシグナリング送信のあることを指示する。
【０１０４】
あるいは、上記ＲＲＣ回復要求メッセージには、指示メッセージを付帯する。上記指示メッセージは、上記端末にＰＬＭＮからＥＰＬＭＮへの再選択を発したかどうかを指示する。
【０１０５】
オプションとして、上記第１ＲＲＣメッセージをＲＲＣ回復メッセージとし、上記第２ＲＲＣメッセージをＲＲＣ回復完成メッセージとすることができる。
【０１０６】
あるいは、上記第１ＲＲＣメッセージをＲＲＣリリースメッセージとする。上記ＲＲＣリリースメッセージには、無線リソース配置メッセージを含むサスペンド配置メッセージを付帯する。上記無線リソース配置メッセージは、上記第２ＲＲＣメッセージが占用したリソースを指示することができる。
【０１０７】
オプションとして、上記ＲＲＣ回復要求メッセージには、上記第１原因値を付帯する場合、
上記第１原因値が上記端末の非アクセスＮＡＳ層によって決定する。また、再選択したＥＰＬＭＮの識別子をＡＳ層に提供すると同時に、上記第２原因値もＡＳ層に提供する。
または、上記第１原因値は、ＮＡＳ層がＡＳ層に再選択したＥＰＬＭＮの識別子を提供してから、上記端末のＡＳ層によって決定する。
【０１０８】
オプションとして、上記ＲＲＣ回復要求メッセージには、上記第２原因値を付帯する場合、
上記第２原因値が上記端末のＮＡＳ層によって決定する。また、再選択したＥＰＬＭＮの識別子をＡＳ層に提供すると同時に、上記第２原因値もＡＳ層に提供する。
【０１０９】
または、上記第２原因値が上記端末のＮＡＳ層によって決定する。また、再選択したＥＰＬＭＮの識別子をＳ層に提供すると同時に、ＡＳ層にも提供する。同時に、ＮＡＳシグナリングプロセスを触発する。または、上記第２原因値は、ＮＡＳ層がＡＳ層に再選択したＥＰＬＭＮの識別子を提供してから、上記端末のＡＳ層によって決定する。
【０１１０】
オプションとして、上記ＲＲＣ回復要求メッセージが、上記端末でＲＮＡ更新条件を満たした場合に送信した場合、上記第１ＲＲＣメッセージは、上記ネットワーク装置で、未回復セルブロードキャストのＰＬＭＮリストに上記端末のＲＰＬＭＮが含まない状況で送信することができる。
【０１１１】
図９に述べるとおり、本公開実施例はメッセージ受信方法を提供して、ネットワーク装置に利用する。上記方法は下記のステップが含まれる。
【０１１２】
ステップ９０１：端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、送信した上記ＥＰＬＭＮの識別子を付帯する第３ＲＲＣメッセージを受信する。
【０１１３】
オプションとして、上記第３ＲＲＣメッセージには、下記のメッセージの少なくとも一つを付帯することができる。
【０１１４】
端末識別子、ＭＡＣ−Ｉ及び短くしたＭＡＣ−Ｉ。
【０１１５】
オプションとして、ステップ９０１の後で、上記方法は下記の内容を含むことができる。
【０１１６】
上記第３ＲＲＣメッセージに答えて、上記端末に第４ＲＲＣメッセージまたはＲＲＣリリースメッセージを送信する。
【０１１７】
これで、端末が非アクティブ状態にある時、ＰＬＭＮからＥＰＬＭＮへの再選択を発した場合、またはＰＬＭＮからＥＰＬＭＮへの再選択を発し、且つ再選択したＥＰＬＭＮの識別子を報告するニーズを満足するうえ、シグナリング費用を削減し、通信性能を保証するために、直接にＲＲＣメッセージを借りて再選択したＥＰＬＭＮの識別子を報告することができる。
【０１１８】
上記実施例は、本公開のメッセージ報告方法及び受信方法について説明した。以下は実施例や図面と結び付けて、本公開の端末及びネットワーク装置について説明する。
【０１１９】
図１０に述べるとおり、本公開実施例は端末１０を提供する。その中には下記の内容を含む。
【０１２０】
第１送信モジュール１１、ネットワーク装置にＲＲＣ回復要求メッセージを送信する。
第１受信モジュール１２、上記ＲＲＣ回復要求メッセージに答えて、上記ネットワーク装置が送信した第１ＲＲＣメッセージを受信する。
【０１２１】
第２送信モジュール１３、上記ネットワーク装置に、上記第１ＲＲＣメッセージに答える第２ＲＲＣメッセージを送信する。
【０１２２】
ここで、上記端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、上記第２ＲＲＣメッセージには、上記ＥＰＬＭＮの識別子を付帯する。
【０１２３】
本公開実施例は、端末が発起したＲＲＣ回復プロセスを通して、ＰＬＭＮからＥＰＬＭＮへの再選択を発した場合、またはＰＬＭＮからＥＰＬＭＮへの再選択を発し、且つＲＮＡ更新条件を満たした場合、端末がＲＲＣメッセージで再選択したＥＰＬＭＮの識別子を報告することで、非アクティブ状態にある端末で、ＰＬＭＮからＥＰＬＭＮへの再選択を発し、且つＲＮＡ更新条件を満たした場合でも、ネットワーク装置に再選択したＥＰＬＭＮの識別子を報告可能である。すなわち、ネットワーク装置が早速再選択したＥＰＬＭＮの識別子を得て、相応の通信性能を保証できるために、ＰＬＭＮからＥＰＬＭＮへの再選択を発したいかなる場合でも、再選択したＥＰＬＭＮの識別子を報告可能である。
【０１２４】
本公開の具体例では、オプションとして、上記ＲＲＣ回復要求メッセージは、端末でＰＬＭＮからＥＰＬＭＮへの再選択を発した場合、またはＰＬＭＮからＥＰＬＭＮへの再選択を発し、且つＲＮＡ更新条件を満たした場合に送信する。
【０１２５】
上記ＲＲＣ回復要求メッセージには、第１原因値を付帯する。上記第１原因値は、上記端末でＰＬＭＮからＥＰＬＭＮへの再選択を発し、またはＰＬＭＮからＥＰＬＭＮへの再選択を発し、且つＲＮＡ更新条件を満たすことを指示する。
【０１２６】
あるいは、上記ＲＲＣ回復要求メッセージには、第２原因値を付帯する。上記第２原因値は、端末にアップリンクデータ送信またはアップリンクシグナリング送信のあることを指示する。
【０１２７】
あるいは、上記ＲＲＣ回復要求メッセージには、指示メッセージを付帯する。上記指示メッセージは、上記端末にＰＬＭＮからＥＰＬＭＮへの再選択を発したかどうかを指示する。
【０１２８】
オプションとして、上記第１ＲＲＣメッセージをＲＲＣ回復メッセージとし、上記第２ＲＲＣメッセージをＲＲＣ回復完成メッセージとすることができる。
【０１２９】
あるいは、上記第１ＲＲＣメッセージをＲＲＣリリースメッセージとする。上記ＲＲＣリリースメッセージには、無線リソース配置メッセージを含むサスペンド配置メッセージを付帯する。上記無線リソース配置メッセージは、上記第２ＲＲＣメッセージが占用したリソースを指示することができる。
【０１３０】
オプションとして、上記ＲＲＣ回復要求メッセージには、上記第１原因値を付帯する場合、
上記第１原因値が上記端末の非アクセスＮＡＳ層によって決定する。また、再選択したＥＰＬＭＮの識別子をＡＳ層に提供すると同時に、上記第２原因値もＡＳ層に提供する。
【０１３１】
または、上記第１原因値は、ＮＡＳ層がＡＳ層に再選択したＥＰＬＭＮの識別子を提供してから、上記端末のＡＳ層によって決定する。
【０１３２】
オプションとして、上記ＲＲＣ回復要求メッセージに、上記第２原因値を付帯する場合、
上記第２原因値が上記端末のＮＡＳ層によって決定する。また、再選択したＥＰＬＭＮの識別子をＡＳ層に提供すると同時に、上記第２原因値もＡＳ層に提供する。
【０１３３】
または、上記第２原因値は上記端末のＮＡＳ層によって決定する。また、再選択したＥＰＬＭＮの識別子をＡＳ層に提供すると同時に、上記第２原因値もＡＳ層に提供する。同時に、ＮＡＳシグナリングプロセスを触発する。
【０１３４】
または、上記第２原因値は、ＮＡＳ層がＡＳ層に再選択したＥＰＬＭＮの識別子を提供してから、上記端末のＡＳ層によって決定する。
【０１３５】
オプションとして、上記ＲＲＣ回復要求メッセージが、上記端末でＲＮＡ更新条件を満たした場合に送信した場合、
上記第１ＲＲＣメッセージは、上記ネットワーク装置で、未回復セルブロードキャストのＰＬＭＮリストに上記端末のＲＰＬＭＮを含まない状況で送信することができる。
【０１３６】
図１１に述べるとおり、本公開実施例は端末１１０を提供する。その中には下記の内容を含む。
【０１３７】
第３送信モジュール１１１、端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、上記ＥＰＬＭＮの識別子を付帯する第３ＲＲＣメッセージを上記ネットワーク装置に送信する。
【０１３８】
オプションとして、上記第３ＲＲＣメッセージには、下記のメッセージの少なくとも一つを付帯することができる。
【０１３９】
端末識別子、ＭＡＣ−Ｉ及び短くしたＭＡＣ−Ｉ。
【０１４０】
オプションとして、上記端末は下記の内容をも含むことができる。
第５受信モジュールが、上記第３ＲＲＣメッセージに答えて、上記ネットワーク装置が送信した第４ＲＲＣメッセージまたはＲＲＣリリースメッセージを受信する。
【０１４１】
これで、端末が非アクティブ状態にある時、ＰＬＭＮからＥＰＬＭＮへの再選択を発した場合、またはＰＬＭＮからＥＰＬＭＮへの再選択を発し、且つ再選択したＥＰＬＭＮの識別子を報告するニーズを満足するうえ、シグナリング費用を削減し、通信性能を保証するために、直接にＲＲＣメッセージを借りて再選択したＥＰＬＭＮの識別子を報告することができる。
【０１４２】
図１２に述べるとおり、本公開実施例はネットワーク装置１２０を提供する。その中には下記の内容を含む。
第２受信モジュール１２１、端末から送信したＲＲＣ回復要求メッセージを受信する。
第４送信モジュール１２２、上記ＲＲＣ回復要求メッセージに答える第１ＲＲＣメッセージを送信する。
第３受信モジュール１２３、上記端末が上記第１ＲＲＣメッセージに答えて送信した第２ＲＲＣメッセージを受信する。
【０１４３】
ここで、上記端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、上記第２ＲＲＣメッセージには、上記ＥＰＬＭＮの識別子を付帯する。
【０１４４】
オプションとして、上記ＲＲＣ回復要求メッセージは、端末でＰＬＭＮからＥＰＬＭＮへの再選択を発した場合、またはＰＬＭＮからＥＰＬＭＮへの再選択を発し、且つＲＮＡ更新条件を満たした場合に送信する。
【０１４５】
上記ＲＲＣ回復要求メッセージには、第１原因値を付帯する。上記第１原因値は、上記端末でＰＬＭＮからＥＰＬＭＮへの再選択を発し、またはＰＬＭＮからＥＰＬＭＮへの再選択を発し、且つＲＮＡ更新条件を満たすことを指示する。
【０１４６】
あるいは、上記ＲＲＣ回復要求メッセージには、第２原因値を付帯する。上記第２原因値は、端末にアップリンクデータ送信またはアップリンクシグナリング送信のあることを指示する。
【０１４７】
あるいは、上記ＲＲＣ回復要求メッセージには、指示メッセージを付帯する。上記指示メッセージは、上記端末にＰＬＭＮからＥＰＬＭＮへの再選択を発したかどうかを指示する。
【０１４８】
オプションとして、上記第１ＲＲＣメッセージをＲＲＣ回復メッセージとし、上記第２ＲＲＣメッセージをＲＲＣ回復完成メッセージとすることができる。
【０１４９】
あるいは、上記第１ＲＲＣメッセージをＲＲＣリリースメッセージとする。上記ＲＲＣリリースメッセージには、無線リソース配置メッセージを含むサスペンド配置メッセージを付帯する。上記無線リソース配置メッセージは、上記第２ＲＲＣメッセージが占用したリソースを指示することができる。
【０１５０】
オプションとして、上記ＲＲＣ回復要求メッセージには、上記第１原因値を付帯する場合、
上記第１原因値が上記端末の非アクセスＮＡＳ層によって決定する。また、再選択したＥＰＬＭＮの識別子をＡＳ層に提供すると同時に、上記第２原因値もＡＳ層に提供する。
または、上記第１原因値は、ＮＡＳ層がＡＳ層に再選択したＥＰＬＭＮの識別子を提供してから、上記端末のＡＳ層によって決定する。
【０１５１】
オプションとして、上記ＲＲＣ回復要求メッセージには、上記第２原因値を付帯する場合、
上記第２原因値が上記端末のＮＡＳ層によって決定する。また、再選択したＥＰＬＭＮの識別子をＡＳ層に提供すると同時に、上記第２原因値もＡＳ層に提供する。
または、上記第２原因値が上記端末のＮＡＳ層によって決定する。また、再選択したＥＰＬＭＮの識別子をＡＳ層に提供すると同時に、上記第２原因値もＡＳ層に提供する。同時に、ＮＡＳシグナリングプロセスを触発する。
または、上記第２原因値は、ＮＡＳ層がＡＳ層に再選択したＥＰＬＭＮの識別子を提供してから、上記端末のＡＳ層によって決定する。
【０１５２】
オプションとして、上記ＲＲＣ回復要求メッセージを、上記端末でＲＮＡ更新条件を満たした場合に送信した場合、
上記第１ＲＲＣメッセージは、上記ネットワーク装置で、未回復セルブロードキャストのＰＬＭＮリストに上記端末のＲＰＬＭＮが含まない状況で送信することができる。
【０１５３】
図１３に述べるとおり、本公開実施例はネットワーク装置１３０を提供する。その中には下記の内容を含む。  
【０１５４】
第４受信モジュール１３１、端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、送信した上記ＥＰＬＭＮの識別子を付帯する第３ＲＲＣメッセージを受信する。
【０１５５】
オプションとして、上記第３ＲＲＣメッセージには、下記のメッセージの少なくとも一つを付帯することができる。
【０１５６】
端末識別子、ＭＡＣ−Ｉ及び短くしたＭＡＣ−Ｉ。
【０１５７】
オプションとして、上記ネットワーク装置１３０には下記の内容も含むことができる。
第５送信モジュールは、上記第３ＲＲＣメッセージに答えて、上記端末に第４ＲＲＣメッセージまたはＲＲＣリリースメッセージを送信する。
【０１５８】
これで、端末が非アクティブ状態にある時、ＰＬＭＮからＥＰＬＭＮへの再選択を発した場合、またはＰＬＭＮからＥＰＬＭＮへの再選択を発し、且つ再選択したＥＰＬＭＮの識別子を報告するニーズを満足するうえ、シグナリング費用を削減し、通信性能を保証するために、直接にＲＲＣメッセージを借りて再選択したＥＰＬＭＮの識別子を報告することができる。
【０１５９】
本公開実施例は、端末を提供しており、プロセッサ、メモリ及び上記メモリに記憶され、また上記プロセッサで操作可能のコンピューターのプログラムが含まれる。ここで、上記コンピューターのプログラムが上記プロセッサで操作される時に、上記端末に適用されるメッセージ報告方法の実施例の各プロセスを実現できるし、また、同じ技術的効果がある。重複しないように、ここでは贅言は要しない。
【０１６０】
具体的には、図１４は本公開の各実施例を実現する端末のハードウェア構成図である。端末１４００は、無線周波数セル１４０１、ネットワークモジュール１４０２、オーディオ出力セル１４０３、入力セル１４０４、センサー１４０５、表示セル１４０６、ユーザー入力セル１４０７、インターフェースセル１４０８、メモリ１４０９、プロセッサ１４１０、及び電源１４１１等の部品を含むがこれらに限らない。本分野の技術者は下記の内容を理解しなければならない。図１４に表示された端末構成は端末への限定を形成しない。端末には、図示よりもっと多くまたは少ない部品を含むことができるし、または一部の部品を組み合わせたり、異なる部品で構成したりすることができる。本公開実施例では、端末は携帯電話、タブレットＰＣ、ノートパソコン、ＰＤＡ、車載端末、ウェアラブル端末、及びペドメーター等を含むがこれらに限らない。
【０１６１】
ここで、無線周波数セル１４０１は、ネットワーク装置にＲＲＣ回復要求メッセージを送信して、また上記ＲＲＣ回復要求メッセージを答えて上記ネットワーク装置から送信した第１ＲＲＣメッセージを受信し、あるいは上記ネットワーク装置に上記第１ＲＲＣメッセージを答える第２ＲＲＣメッセージを送信する。上記端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、上記第２ＲＲＣメッセージに、上記ＥＰＬＭＮの識別子を付帯する。
【０１６２】
または、無線周波数セル１４０１は、端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、上記ＥＰＬＭＮの識別子を付帯する第３ＲＲＣメッセージを上記ネットワーク装置に送信する。
【０１６３】
本公開実施例は、端末１４００が発起したＲＲＣ回復プロセスを通して、ＰＬＭＮからＥＰＬＭＮへの再選択を発した場合、またはＰＬＭＮからＥＰＬＭＮへの再選択を発し、且つＲＮＡ更新条件を満たした場合、端末１４００がＲＲＣメッセージで再選択したＥＰＬＭＮの識別子を報告することで、非アクティブ状態にある端末で、ＰＬＭＮからＥＰＬＭＮへの再選択を発し、且つＲＮＡ更新条件を満たした場合でも、ネットワーク装置に再選択したＥＰＬＭＮの識別子を報告可能である。すなわち、ネットワーク装置が早速再選択したＥＰＬＭＮの識別子を得て、相応の通信性能を保証できるために、ＰＬＭＮからＥＰＬＭＮへの再選択を発したいかなる場合でも、再選択したＥＰＬＭＮの識別子を報告可能である。
【０１６４】
理解すべきなのは、本公開実施例では、無線周波数セル１４０１がメッセージの受信あるいは通話の中で、信号の受信及び送信に利用することができることである。具体的には、基地局からのダウンリンクデータを受信してから、プロセッサ１４１０によって処理させる。このほか、アップリンクデータを基地局に送信する。通常、無線周波数セル１４０１は、アンテナ、一つ以上のアンプ、送受信機、連結器、低騒音アンプ、送受切り替え器等を含むがこれらに限らない。このほか、無線周波数セル１４０１は、無線通信システムを通して、ネットワーク及びその他設備と通信することができる。
【０１６５】
端末はネットワークモジュール１４０２を通して、ユーザーに無線広帯域ネットワークアクセスを提供する。例えば、電子メールの受取と送信、ウェブサイト及びストリーミングメディアへのアクセス等の面でユーザーを助ける。
【０１６６】
オーディオ出力セル１４０３は、無線周波数セル１４０１またはネットワークモジュール１４０２で受信し、またはメモリ１４０９に記憶されているオーディオデータをオーディオ信号に転換して、音声に出力することができる。しかも、オーディオ出力セル１４０３は、端末１４００で執行した特定機能に関連するオーディオ出力（例えば、呼び出し信号受信音、メッセージ受信音等）を提供することもできる。オーディオ出力セル１４０３は、ラウドスピーカー、ブザー及び受話器等を含む。
【０１６７】
入力セル１４０４は、オーディオやビデオ信号を受信する。入力セル１４０４は、グラフプロセッサ（Ｇｒａｐｈｉｃｓ  Ｐｒｏｃｅｓｓｉｎｇ  Ｕｎｉｔ，ＧＰＵ）１４０４１及びマイク１４０４２を含むことができる。グラフプロセッサ１４０４１は、ビデオキャプチャーモードや画像キャプチャーモードで、画像キャプチャー（例えばカメラ）で取得した静態画像やビデオの影像データについて処理する。処理した後の図像を表示セル１４０６に表示することができる。グラフプロセッサ１４０４１によって処理された図像は、メモリ１４０９（あるいはほかの記憶媒体）に保存され、または無線周波数セル１４０１あるいはネットワークモジュール１４０２によって送信することもできる。マイク１４０４２は音声を受信して、またその音声をオーディオデータに処理することもできる。処理後のオーディオデータは、電話通話モードで無線周波数セル１４０１を通して移動通信基地局に送信できる様式を転換して出力することもできる。
【０１６８】
端末１４００は、少なくても１種類のセンサー１４０５を含む。例えば、光センサー、運動センサー及びその他センサー。具体的には、光センサーは、環境光センサー及び近接センサーを含む。ここで、環境光センサーは、環境光線の明暗によって表示パネル１４０６１の光度を調節する。近接センサーは、端末１４００が耳元まで移動したときに、表示パネル１４０６１及び／あるいは背光を閉じる。運動センサーの一つとして、加速度センサーは、各方向（通常は三軸）の加速度の大きさを測定できる。静止する時に、重力の大きさ及び方向を測定して、端末姿の識別（例えば画面の縦横切り替え、関係ゲーム、磁力計姿修正）、振動識別関係機能（例えば、ペドメーター、叩く）等に利用することができる。センサー１４０５は、指紋センサー、圧力センサー、虹彩センサー、分子センサー、ジャイロスコープ、気圧計、湿度計、温度計、赤外線センサー等が含んでおり、ここでは贅言は要しない。
【０１６９】
表示セル１４０６は、ユーザーが入力したメッセージあるいはユーザーに提供するメッセージを表示する。表示セル１４０６は表示パネル１４０６１を含むことができる。液晶ディスプレイ（Ｌｉｑｕｉｄ  Ｃｒｙｓｔａｌ  Ｄｉｓｐｌａｙ，ＣＤ）、有機発光ダイオード（Ｏｒｇａｎｉｃ  Ｌｉｇｈｔ−Ｅｍｉｔｔｉｎｇ  Ｄｉｏｄｅ，ＯＬＥＤ）等の形式で表示パネル１４０６１を配置することができる。
【０１７０】
ユーザー入力セル１４０７は、入力された数字や文字のメッセージを受信したり、端末のユーザー設置及び機能制御に関連するキー信号入力を発生したりする。具体的には、ユーザー入力セル１４０７は、タッチパネル１４０７１及びその他入力設備１４０７２を含む。タッチパネル１４０７１はタッチスクリーンとも言い、ユーザーがその上、または近い所でのタッチ操作（例えばユーザーが指、タッチペン等いかなる適切なものでタッチパネル１４０７１の上、またはタッチパネル１４０７１の近い所で操作する）を収集する。タッチパネル１４０７１は、タッチ検測装置及びタッチコントローラ二つの部分を含む。ここで、タッチ検測装置は、ユーザーのタッチ方位を検測し、またタッチ操作で発生した信号を検測して、その信号をタッチコントローラに送信する。タッチコントローラは、タッチ検測装置から、タッチメッセージを受信して、それを触点座標に転換してからプロセッサ１４１０に送信する。また、プロセッサ１４１０からの命令を受信して、実行する。このほか、抵抗式、静電容量式、赤外線及び表面音波等多くの種類で、タッチパネル１４０７１の操作を実現する。タッチパネル１４０７１のほか、ユーザー入力セル１４０７は、その他入力設備１４０７２を含むことができる。具体的には、その他入力設備１４０７２は、物理キーコード、機能キー（例えば、音量制御キー、スイッチキー等）、トラックボール、マウス、アクションバー等を含むがこれらに限らない。ここでは贅言は要しない。
【０１７１】
さらに、タッチパネル１４０７１は、表示パネル１４０６１の上にカバーすることができる。タッチパネル１４０７１は、その上または近い所のタッチ操作を検測した後、プロセッサ１４１０に送信して、タッチ事件の種類を確定する。そして、プロセッサ１４１０は、タッチ事件の種類によって、表示パネル１４０６１の上に相応の視覚的出力を提供する。図１４では、タッチパネル１４０７１と表示パネル１４０６１は二つの独立した部品として、端末の入力及び出力機能を実現する。ただし、一部の実施例では、タッチパネル１４０７１と表示パネル１４０６１を集成して、端末の入力と出力機能を実現する。詳細は限定しないものとする。
【０１７２】
インターフェースセル１４０８は、外部装置と端末１４００との接続用インターフェースである。例えば、外部装置は、有線或いは無線ヘッドフォンポート、外部電源（或いは電池充電器）ポート、有線或いは無線データポート、メモリカードポート、識別モジュールのある装置の接続用ポート、オーディオ入力／出力（Ｉ／Ｏ）ポート、ビデオＩ／Ｏポート、イヤホーンポート等を含むことができる。インターフェースセル１４０８は、外部装置からの入力（例えば、データメッセージ、電力等）を受信し、また受信した入力を端末１４００内の一つまたは多数の素子に伝送し、ひいては端末１４００と外部装置の間でデータを伝送する。
【０１７３】
メモリ１４０９は、ソフトプログラム及び各種のデータの記憶に利用される。メモリ１４０９は、主にメモリプログラムエリア及びメモリデータエリアを含む。ここで、メモリプログラムエリアは操作システム、少なくても一つの機能の必要なアプリケーション（例えば、音声ブロードキャスト機能、画像ブロードキャスト機能等）等を記憶する。メモリデータエリアは、携帯電話の利用に応じて作成したデータ（例えば、オーディオデータ、電話帳等）等を記憶する。このほか、メモリ１４０９は、ランダムアクセスメモリ、及び不揮発性メモリ等を含むことができる。例えば、少なくても一つの磁気ディスク記憶装置、フラッシュメモリ、或いはその他揮発性固体磁気メモリ。
【０１７４】
プロセッサ１４１０は端末の制御センターとして、各種のインターフェース及び線路を利用して、全端末の各部分を接続して、メモリ１４０９内に記憶されたソフトプログラム及び／或いはモジュールを利用・執行したり、メモリ１４０９内に記憶されたデータを呼び出したりして、端末の各種の機能及び処理データを執行して、端末に対して全体的な監視を行うものとする。プロセッサ１４１０は、一つあるいは複数の処理セルを含む。オプションとして、プロセッサ１４１０は、アプリケーションプロセッサ及びモデムプロセッサを集成することができる。ここで、アプリケーションプロセッサは、主に操作システム、ユーザーインターフェース及びアプリケーション等を処理する。モデムプロセッサは主に無線通信を処理する。理解できるのは、上記モデムプロセッサは、プロセッサ１４１０に集成しなくてもよい。
【０１７５】
端末１４００は、各部品に電源を供給する電源１４１１（例えば電池）を含むことができる。オプションとして、電源１４１１は、電源管理システムを通して、プロセッサ１４１０と倫理的に接続しているため、電源管理システムを通して、充電、放電及び電力消耗管理等の機能を実現する。
【０１７６】
このほか、端末１４００は、一部の表示されていない機能モジュールを含むことができる。ここでは贅言は要しない。
【０１７７】
本公開実施例は、ネットワーク装置を提供しており、プロセッサ、メモリ及び上記メモリに記憶され、また上記プロセッサで操作可能のコンピューターのプログラムが含まれる。ここで、上記コンピューターのプログラムが上記プロセッサで操作される時に、上記ネットワーク装置に適用されるメッセージ受信方法の実施例の各プロセスを実現できるし、また、同じ技術的効果がある。重複しないように、ここでは贅言は要しない。
【０１７８】
具体的には、図１５は本公開の各実施例を実現するネットワーク装置のハードウェア構成図である。上記ネットワーク装置１５０は、バス１５１、トランシーバー１５２、アンテナ１５３、バスポート１５４、プロセッサ１５５及びメモリ１５６を含むがこれらに限らない。
【０１７９】
本公開実施例では、上記ネットワーク装置１５０は、メモリ１５６に記憶され、プロセッサ１５５で操作できるコンピューターのプログラムをも含む。オプションとして、コンピューターのプログラムは、プロセッサ１５５で執行される時に、下記のステップを実現することができる。
【０１８０】
トランシーバー１５２を制御して、端末から送信したＲＲＣ回復要求メッセージを受信させ、上記端末に上記ＲＲＣ回復要求メッセージに答える第１ＲＲＣメッセージを送信させ、上記端末が上記第１ＲＲＣメッセージに答えて送信した第２ＲＲＣメッセージを受信させる。
【０１８１】
ここで、上記端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、上記第２ＲＲＣメッセージには、上記ＥＰＬＭＮの識別子を付帯する。
【０１８２】
オプションとして、コンピューターのプログラムは、プロセッサ１５５で執行される時に、下記のステップを実現することができる。
【０１８３】
トランシーバー１５２を制御して、端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、送信した上記ＥＰＬＭＮの識別子を付帯する第３ＲＲＣメッセージを受信させる。
【０１８４】
トランシーバー１５２は、プロセッサ１５５の制御の下で、データを受信したり、送信したりする。
【０１８５】
図１５では、バス構成（バス１５１を代表とする）、例えばバス１５１は任意数の相互に連結するバスブリッジを含むことができる。バス１５１は、プロセッサ１５５を代表とする一つまたは複数のプロセッサを、メモリ１５６を代表とするメモリの各種の回路と接続する。バス１５１は、周辺デバイス、調整器及び電源管理用集積回路等各種のその他回路と接続させることができる。これは本分野で周知のもので、ここでは贅言は要しない。バスインターフェース１５４はバス１５１とトランシーバー１５２の間でインターフェースを提供する。トランシーバー１５２は一つの素子でもよいし、複数の部品でもよい。例えば、複数の受信機及び発信機が、伝送媒体状各種のその他装置と通信するセルに適用される。プロセッサ１５５で処理されたデータが、アンテナ１５３を通して無線媒体で伝送される。さらに、アンテナ１５３は、データを受信して、またデータをプロセッサ１５５に伝送する。
【０１８６】
プロセッサ１５５は、バス１５１の管理及び通常の処理を行い、また、各種の機能を提供する。例えば、タイマー、周辺インターフェース、電圧調節、電源管理及びその他制御機能。なお、メモリ１５６は、プロセッサ１５５が操作を実行する時に利用したデータを記憶することができる。
【０１８７】
オプションとして、プロセッサ１５５は、ＣＰＵ、ＡＳＩＣ、ＦＰＧＡ或いはＣＰＬＤのどちらに該当することができる。
【０１８８】
本公開実施例は、コンピュータ読み取り可能な記憶媒体を提供する。コンピュータ読み取り可能な記憶媒体には、コンピューターのプログラムが記憶されている。当該コンピューターのプログラムが、上記プロセッサで操作される時に、上記端末に適用されるメッセージ報告方法の実施例の各プロセスを実現できるし、また、同じ技術的効果がある。重複しないように、ここでは贅言は要しない。ここで、当該コンピュータ読み取り可能な記憶媒体は、例えば、読み出し専用メモリ（Ｒｅａｄ−Ｏｎｌｙ  Ｍｅｍｏｒｙ，ＲＯＭ）、ランダムアクセスメモリ（Ｒａｎｄｏｍ  Ａｃｃｅｓｓ  Ｍｅｍｏｒｙ，ＲＡＭ）、磁気ディスク或いは光ディスク等のいずれかに該当することができる。
【０１８９】
本公開実施例は、コンピュータ読み取り可能な記憶媒体を提供する。コンピュータ読み取り可能な記憶媒体には、コンピューターのプログラムが記憶されている。当該コンピューターのプログラムが、上記プロセッサで操作される時に、上記ネットワーク装置に適用されるメッセージ受信方法の実施例の各プロセスを実現できるし、また、同じ技術的効果がある。重複しないように、ここでは贅言は要しない。ここで、当該コンピュータ読み取り可能な記憶媒体は、例えば、読み出し専用メモリ（Ｒｅａｄ−Ｏｎｌｙ  Ｍｅｍｏｒｙ，ＲＯＭ）、ランダムアクセスメモリ（Ｒａｎｄｏｍ  Ａｃｃｅｓｓ  Ｍｅｍｏｒｙ，ＲＡＭ）、磁気ディスク或いは光ディスク等のいずれかに該当することができる。
【０１９０】
説明する必要があるのは、本文書では、用語「含む」「含まれる」或いはいかなるその他変形は、非排他的包含をカバーしているため、一列の要素のプロセス、方法、物品或いは装置には、要素だけではなく、明確に挙げられていないその他の要素、またはこれらのプロセス、方法、物品或いは装置の固有の要素も含まれていることである。より多くの制限のない条件では、「一つの…を含む」の文で要素を制限する場合、当該要素を含むプロセス、方法、物品或いは装置にほかの同要素が存在する可能性を除外することはできない。
【０１９１】
以上の実施方式の叙述を通して、本分野の技術者は、上記実施例が、ソフトウェア及び必須の共通プラットフォームの方式で実現可能なことが分かっている。もちろん、ハードウェアを通しても実現できるが、通常は前者が最もよい実施方式とする。この理解に基づいて、本公開の技術方案は、本質的に関係技術に貢献をした部分がソフトウェア製品の形式で表現することができる。当該コンピューターのソフトウェア製品がメモリ媒体（例えばＲＯＭ／ＲＡＭ、磁気ディスク或いは光ディスク）に記憶され、一台の端末（例えば、携帯電話、コンピューター、サーバー、エアコン、或いはネットワーク装置等）に若干の指令を出して、本公開の各実施例の上記方法を執行させる。
【０１９２】
以上は図面と結び付けて本公開の実施例について説明したが、本公開は上記の具体的な実施方式のみに限定しない。上記の具体実施方式は、制限的ではなく、意向的である。本分野の普通の技術者は、本公開の啓示を受け、本公開の趣旨及び権利要求の保護範囲内で、多くの形式があることがわかるし、またそれらは本公開の保護範囲内にある。
【図１】
2022500953.tif 000003
【図２】
2022500953.tif 000004
【図３】
2022500953.tif 000005
【図４】
2022500953.tif 000006
【図５】
2022500953.tif 000007
【図６】
2022500953.tif 000008
【図７】
2022500953.tif 000009
【図８】
2022500953.tif 000010
【図９】
2022500953.tif 000011
【図１０】
2022500953.tif 000012
【図１１】
2022500953.tif 000013
【図１２】
2022500953.tif 000014
【図１３】
2022500953.tif 000015
【図１４】
2022500953.tif 000016
【図１５】
2022500953.tif 000017
【手続補正書】
【提出日】令和3年4月14日(2021.4.14)
【手続補正１】
【補正対象書類名】特許請求の範囲
【補正対象項目名】全文
【補正方法】変更
【補正の内容】
【特許請求の範囲】
【請求項１】
端末に適用されるメッセージ報告方法であって、
ネットワーク装置に無線リソース制御ＲＲＣ回復要求メッセージを送信することと、
前記ネットワーク装置によって前記無線リソース制御ＲＲＣ回復要求メッセージに応答して送信した第１ＲＲＣメッセージを受信することと、
前記ネットワーク装置に、前記第１ＲＲＣメッセージに応答する第２ＲＲＣメッセージを送信することとを含み、
ここで、前記端末が非アクティブ状態にある時、地上公共移動通信ネットワークＰＬＭＮから等価地上公共移動通信ネットワークＥＰＬＭＮへの再選択を発した場合、またはＰＬＭＮからＥＰＬＭＮへの再選択を発し且つアクセスネットワーク通知エリアＲＮＡ更新条件を満たした場合、前記第２ＲＲＣメッセージに、前記ＥＰＬＭＮの識別子を付帯する、メッセージ報告方法。
【請求項２】
前記無線リソース制御ＲＲＣ回復要求メッセージは、端末でＰＬＭＮからＥＰＬＭＮへの再選択を発した場合、またはＰＬＭＮからＥＰＬＭＮへの再選択を発し、且つＲＮＡ更新条件を満たした場合に送信され、
前記無線リソース制御ＲＲＣ回復要求メッセージに、第１原因値を付帯し、前記第１原因値は、前記端末でＰＬＭＮからＥＰＬＭＮへの再選択を発し、またはＰＬＭＮからＥＰＬＭＮへの再選択を発し、且つＲＮＡ更新条件を満たすことを指示し、
或いは、
前記無線リソース制御ＲＲＣ回復要求メッセージに、第２原因値を付帯し、前記第２原因値は、端末にアップリンクデータ送信またはアップリンクシグナリング送信のあることを指示し、
或いは、
前記無線リソース制御ＲＲＣ回復要求メッセージに、指示メッセージを付帯し、前記指示メッセージは、前記端末にＰＬＭＮからＥＰＬＭＮへの再選択を発したかどうかを指示する、請求項１に記載のメッセージ報告方法。
【請求項３】
前記第１ＲＲＣメッセージをＲＲＣ回復メッセージとし、前記第２ＲＲＣメッセージをＲＲＣ回復完成メッセージとし、
或いは、
前記第１ＲＲＣメッセージをＲＲＣリリースメッセージとし、前記ＲＲＣリリースメッセージに、無線リソース配置メッセージを含むサスペンド配置メッセージを付帯し、前記無線リソース配置メッセージは、前記第２ＲＲＣメッセージが占用したリソースを指示する、請求項１に記載のメッセージ報告方法。
【請求項４】
前記無線リソース制御ＲＲＣ回復要求メッセージに、前記第１原因値を付帯する場合、
前記第１原因値が前記端末の非アクセスＮＡＳ層によって決定し、再選択したＥＰＬＭＮの識別子をＡＳ層に提供すると同時に、ＡＳ層に提供され、
或いは、
前記第１原因値は、ＮＡＳ層がＡＳ層に再選択したＥＰＬＭＮの識別子を提供してから、前記端末のＡＳ層によって決定される、請求項２に記載のメッセージ報告方法。
【請求項５】
前記無線リソース制御ＲＲＣ回復要求メッセージに、前記第２原因値を付帯する場合、
前記第２原因値が前記端末のＮＡＳ層によって決定され、再選択したＥＰＬＭＮの識別子をＡＳ層に提供すると同時に、ＡＳ層に提供され、
或いは、
前記第２原因値が前記端末のＮＡＳ層によって決定され、再選択したＥＰＬＭＮの識別子をＡＳ層に提供すると同時に、ＡＳ層に提供され、同時にＮＡＳシグナリングプロセスを触発し、
或いは、
前記第２原因値は、ＮＡＳ層がＡＳ層に再選択したＥＰＬＭＮの識別子を提供してから、前記端末のＡＳ層によって決定される、請求項２に記載のメッセージ報告方法。
【請求項６】
前記無線リソース制御ＲＲＣ回復要求メッセージは、端末でＲＮＡ更新条件を満たした場合に送信され、
前記第１ＲＲＣメッセージは、前記ネットワーク装置で、未回復セルブロードキャストのＰＬＭＮリストに前記端末の登録地上公共移動通信ネットワークＲＰＬＭＮが含まない状況で送信される、請求項１に記載のメッセージ報告方法。
【請求項７】
端末に適用されるメッセージ報告方法であって、
端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、前記ＥＰＬＭＮの識別子を付帯する第３ＲＲＣメッセージをネットワーク装置を送信することを含む、メッセージ報告方法。
【請求項８】
ネットワーク装置に適用されるメッセージ受信方法であって、
端末から送信した無線リソース制御ＲＲＣ回復要求メッセージを受信することと、
前記端末に、前記無線リソース制御ＲＲＣ回復要求メッセージに答える第１ＲＲＣメッセージを送信することと、
前記端末が前記第１ＲＲＣメッセージに答えて送信した第２ＲＲＣメッセージを受信することとを含み、
ここで、前記端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、前記第２ＲＲＣメッセージに、前記ＥＰＬＭＮの識別子を付帯する、メッセージ受信方法。
【請求項９】
前記無線リソース制御ＲＲＣ回復要求メッセージは、端末でＰＬＭＮからＥＰＬＭＮへの再選択を発した場合、またはＰＬＭＮからＥＰＬＭＮへの再選択を発し、且つＲＮＡ更新条件を満たした場合に送信され、
前記無線リソース制御ＲＲＣ回復要求メッセージに、第１原因値を付帯し、前記第１原因値は、前記端末でＰＬＭＮからＥＰＬＭＮへの再選択を発し、またはＰＬＭＮからＥＰＬＭＮへの再選択を発し、且つＲＮＡ更新条件を満たすことを指示し、
或いは、
前記無線リソース制御ＲＲＣ回復要求メッセージに、第２原因値を付帯し、前記第２原因値は、端末にアップリンクデータ送信またはアップリンクシグナリング送信のあることを指示し、
或いは、
前記無線リソース制御ＲＲＣ回復要求メッセージに、指示メッセージを付帯し、前記指示メッセージは、前記端末にＰＬＭＮからＥＰＬＭＮへの再選択を発したかどうかを指示する、請求項８に記載のメッセージ受信方法。
【請求項１０】
前記第１ＲＲＣメッセージをＲＲＣ回復メッセージとし、前記第２ＲＲＣメッセージをＲＲＣ回復完成メッセージとし、
或いは、
前記第１ＲＲＣメッセージをＲＲＣリリースメッセージとし、前記ＲＲＣリリースメッセージに、無線リソース配置メッセージを含むサスペンド配置メッセージを付帯し、前記無線リソース配置メッセージは、前記第２ＲＲＣメッセージが占用したリソースを指示する、請求項８に記載のメッセージ受信方法。
【請求項１１】
前記無線リソース制御ＲＲＣ回復要求メッセージに、前記第１原因値を付帯する場合、
前記第１原因値が前記端末の非アクセスＮＡＳ層によって決定され、再選択したＥＰＬＭＮの識別子をＡＳ層に提供すると同時に、ＡＳ層に提供され、
或いは、
前記第１原因値は、ＮＡＳ層がＡＳ層に再選択したＥＰＬＭＮの識別子を提供してから、前記端末のＡＳ層によって決定される、請求項９に記載のメッセージ受信方法。
【請求項１２】
前記無線リソース制御ＲＲＣ回復要求メッセージに、前記第２原因値を付帯する場合、
前記第２原因値が前記端末のＮＡＳ層によって決定され、再選択したＥＰＬＭＮの識別子をＡＳ層に提供すると同時に、ＡＳ層に提供され、
或いは、
前記第２原因値が前記端末のＮＡＳ層によって決定され、再選択したＥＰＬＭＮの識別子をＳ層に提供すると同時に、ＡＳ層に提供され、同時にＮＡＳシグナリングプロセスを触発し、
或いは、
前記第２原因値は、ＮＡＳ層がＡＳ層に再選択したＥＰＬＭＮの識別子を提供してから、前記端末のＡＳ層によって決定される、請求項９に記載のメッセージ受信方法。
【請求項１３】
前記無線リソース制御ＲＲＣ回復要求メッセージは、端末でＲＮＡ更新条件を満たした場合に送信され、
前記第１ＲＲＣメッセージは、前記ネットワーク装置で、未回復セルブロードキャストのＰＬＭＮリストに前記端末のＲＰＬＭＮが含まない状況で送信される、請求項８に記載のメッセージ受信方法。
【請求項１４】
ネットワーク装置に適用されるメッセージ受信方法であって、
端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、送信した前記ＥＰＬＭＮの識別子を付帯する第３ＲＲＣメッセージを受信することを含む、メッセージ受信方法。
【請求項１５】
端末であって、
ネットワーク装置に無線リソース制御ＲＲＣ回復要求メッセージを送信する第１送信モジュールと、
前記無線リソース制御ＲＲＣ回復要求メッセージに答えて、前記ネットワーク装置が送信した第１ＲＲＣメッセージを受信する第１受信モジュールと、
前記ネットワーク装置に、前記第１ＲＲＣメッセージに答える第２ＲＲＣメッセージを送信する第２送信モジュールとを備え、
ここで、前記端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、前記第２ＲＲＣメッセージに、前記ＥＰＬＭＮの識別子を付帯する、端末。
【請求項１６】
端末であって、
端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、前記ＥＰＬＭＮの識別子を付帯する第３ＲＲＣメッセージをネットワーク装置を送信する第３送信モジュールを備える、端末。
【請求項１７】
ネットワーク装置であって、
端末から送信した無線リソース制御ＲＲＣ回復要求メッセージを受信する第２受信モジュールと、
前記無線リソース制御ＲＲＣ回復要求メッセージに答える第１ＲＲＣメッセージを送信する第４送信モジュールと、
前記端末が前記第１ＲＲＣメッセージに答えて送信した第２ＲＲＣメッセージを受信する第３受信モジュールとを備え、
ここで、前記端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、前記第２ＲＲＣメッセージに、前記ＥＰＬＭＮの識別子を付帯する、ネットワーク装置。
【請求項１８】
ネットワーク装置であって、
端末が非アクティブ状態にある時、ＰＬＭＮからＥＰＬＭＮへの再選択を発した場合、またはＰＬＭＮからＥＰＬＭＮへの再選択を発し、且つＲＮＡ更新条件を満たした場合、送信した前記ＥＰＬＭＮの識別子を付帯する第３ＲＲＣメッセージを受信する第４受信モジュールを備える、ネットワーク装置。
【国際調査報告】
2022500953.tif 000018
2022500953.tif 000019
2022500953.tif 000020
2022500953.tif 000021
2022500953.tif 000022
2022500953.tif 000023